(57)【特許請求の範囲】
【請求項１】
インターネットにより収集した情報を検索するためのデータベースを構築するインターネット情報処理装置において、
ＵＲＬ（Ｕｎｉｆｏｒｍ  Ｒｅｓｏｕｒｃｅ  Ｌｏｃａｔｏｒ）に関する情報を入力する入力手段と、
前記入力手段によりＵＲＬに関する情報として入力されたＷＷＷ（Ｗｏｒｌｄ  Ｗｉｄｅ  Ｗｅｂ）ブラウザの履歴情報またはブックマーク情報を監視する監視手段と、
前記監視手段により監視されたＷＷＷブラウザの履歴情報またはブックマーク情報が変更された場合に、前記変更された内容に基づいてインターネット情報を収集する収集手段と、
前記収集手段により収集されたインターネット情報を検索用に加工する加工手段と、
を備え、
前記収集手段により収集されたインターネット情報および前記加工手段により検索用に加工されたインターネット情報に基づいて、データベースを構築することを特徴とするインターネット情報処理装置。
【請求項２】
前記加工手段は、前記収集手段により収集されたインターネット情報の中から検索の対象となる語句を抽出する語句抽出手段を備えたことを特徴とする請求項１に記載のインターネット情報処理装置。
【請求項３】
さらに、前記入力手段により入力されたＵＲＬに関する情報を前記データベースごとに表示する表示手段を備えたことを特徴とする請求項１または２に記載のインターネット情報処理装置。
【請求項４】
さらに、前記表示手段により表示されたＵＲＬに関する情報の追加・変更・削除等の編集をする編集手段を備えたことを特徴とする請求項３に記載のインターネット情報処理装置。
【請求項５】
さらに、前記収集手段が収集をおこなうスケジュールに関する情報を入力するスケジュール情報入力手段を備え、
前記収集手段は、前記スケジュール情報入力手段により入力されたスケジュールに関する情報に基づいてインターネット情報を収集することを特徴とする請求項１〜４に記載のインターネット情報処理装置。
【請求項６】
入力手段と、監視手段と、収集手段と、加工手段と、データベース構築手段と、を備え、インターネットにより収集した情報を検索するためのデータベースを構築するインターネット情報処理装置のインターネット情報処理方法において、
前記入力手段が、ＵＲＬ（Ｕｎｉｆｏｒｍ  Ｒｅｓｏｕｒｃｅ  Ｌｏｃａｔｏｒ）に関する情報を入力する入力工程と、
前記収集手段が、前記入力工程により入力されたＵＲＬに関する情報に基づいてインターネット情報を収集する収集工程と、
前記監視手段が、前記入力工程によりＵＲＬに関する情報として入力されたＷＷＷ（Ｗｏｒｌｄ  Ｗｉｄｅ  Ｗｅｂ）ブラウザの履歴情報またはブックマーク情報を監視する監視工程と、
前記収集手段が、前記監視工程により監視されたＷＷＷブラウザの履歴情報またはブックマーク情報が変更された場合に、前記変更された内容に基づいてインターネット情報を収集する収集工程と、
前記加工手段が、前記収集工程により収集されたインターネット情報を検索用に加工する加工工程と、
前記データベース構築手段が、前記収集工程により収集されたインターネット情報および前記加工工程により検索用に加工されたインターネット情報に基づいて、データベースを構築するデータベース構築工程とを含んだことを特徴とするインターネット情報処理方法。
【請求項７】
前記加工工程は、前記収集工程により収集されたインターネット情報の中から検索の対象となる語句を抽出する語句抽出工程を含んだことを特徴とする請求項６に記載のインターネット情報処理方法。
【請求項８】
さらに、前記インターネット情報処理装置は表示手段を備え、
前記表示手段が、前記入力工程により入力されたＵＲＬに関する情報を前記データベースごとに表示する表示工程を含んだことを特徴とする請求項６または７に記載のインターネット情報処理方法。
【請求項９】
さらに、前記インターネット情報処理装置は編集手段を備え、
前記編集手段が、前記表示工程により表示されたＵＲＬに関する情報の追加・変更・削除等の編集をする編集工程を含んだことを特徴とする請求項８に記載のインターネット情報処理方法。
【請求項１０】
さらに、前記インターネット情報処理装置はスケジュール入力手段を備え、
前記スケジュール入力手段が、前記収集工程が収集をおこなうスケジュールに関する情報を入力するスケジュール情報入力工程を含み、
前記収集工程は、前記スケジュール情報入力工程により入力されたスケジュールに関する情報に基づいてインターネット情報を収集することを特徴とする請求項６〜９に記載のインターネット情報処理方法。
【請求項１１】
前記請求項６〜１０のいずれか一つに記載された方法をコンピュータに実行させるプログラムを記録したことを特徴とするコンピュータ読み取り可能な記録媒体。
【発明の詳細な説明】
【０００１】
【発明の属する技術分野】
この発明は、インターネットにより収集した情報を検索するためのデータベースを構築するインターネット情報処理装置、インターネット情報処理方法およびその方法をコンピュータに実行させるプログラムを記録したコンピュータ読み取り可能な記録媒体に関する。
【０００２】
【従来の技術】
近年のインターネットの急速な発達により、インターネットで検索することにより情報を収集する時代になってきている。そうした状況の中、情報をすばやく確実に手に入れたいというユーザーが増加している。さらに、インターネットで得た情報を元に自分だけのオリジナル情報源（データベース）を作成したいという要望が高まっている。
【０００３】
そのためには、インターネットや個人のハードディスクの中から欲しい情報を、迅速かつ的確に取りだせることが必要となる。しかも、収集した情報が多彩に応用できることが必要である。インターネットでの情報だけでなく、メール、通信ログ、ファイルといったさまざまな情報の入手・活用も必要である。
【０００４】
インターネットユーザー数が急増しているが、その急増の背景には、情報への渇望感があると考えられる。事実、インターネット利用目的に関する調査結果を検討しても「情報入手」と「電子メール送受信」が圧倒的に上位を占め、特にホームユースでは前者の割合が高い傾向にある。
【０００５】
そして、情報入手の手段にインターネットを選んだ理由を「既存のメディアでは得られない情報がありそうだから」と多くのユーザーが回答している。つまり“みんなと同じ情報”ではなく、自分だけが知っている、自分だけに役立つ、そんな情報をインターネットユーザーは求めている、すなわち、ユーザーはインターネットを「自分の情報源」と考えている。
【０００６】
【発明が解消しようとする課題】
しかしながら、従来のインターネット情報処理装置においては、インターネットの膨大な情報の中から必要な情報を探しだすのはきわめて困難であるという問題点があった。
【０００７】
インターネットユーザーの急増に伴いアクセス数が増大しているのが、検索サイトであるが、どこに自分の求めている情報があるのか、それを検索サイトでキーワードに基づいて探しだす最初の作業で早くもつまずくユーザーが非常に多いという問題点があった。それは、探しだせないのが問題ではなく探しだされる情報量の多さが問題となるのである。
【０００８】
この発明は、上述した従来例よる問題点を解消するため、膨大なインターネット情報を効率よく収集・活用することでインターネットの利用価値を向上させることができるインターネット情報処理装置、インターネット情報処理方法およびその方法をコンピュータに実行させるプログラムを記録したコンピュータ読み取り可能な記録媒体を提供することを目的とする。
【０００９】
【課題を解決するための手段】
上述した課題を解決し、目的を達成するため、この発明に係るインターネット情報処理装置は、インターネットにより収集した情報を検索するためのデータベースを構築するインターネット情報処理装置において、ＵＲＬ（Ｕｎｉｆｏｒｍ  Ｒｅｓｏｕｒｃｅ  Ｌｏｃａｔｏｒ）に関する情報を入力する入力手段と、前記入力手段により入力されたＵＲＬに関する情報に基づいてインターネット情報を収集する収集手段と、前記収集手段により収集されたインターネット情報を検索用に加工する加工手段と、を備え、前記収集手段により収集されたインターネット情報および前記加工手段により検索用に加工されたインターネット情報に基づいて、データベースを構築することを特徴とする。
【００１０】
この発明によれば、ＵＲＬ情報に基づいた検索用のデータベースができる。
【００１１】
また、この発明に係るインターネット情報処理装置は、上記の発明において、前記加工手段が、前記収集手段により収集されたインターネット情報の中から検索の対象となる語句を抽出する語句抽出手段を備えたことを特徴とする。
【００１２】
この発明によれば、たとえば、語句どうしの統計データにより類似度計算する類似検索等、語句に基づく検索用のデータベースができる。
【００１３】
また、この発明に係るインターネット情報処理装置は、上記の発明において、さらに、前記データベースごとに前記入力手段により入力されたＵＲＬに関する情報を表示する表示手段を備えたことを特徴とする。
【００１４】
この発明によれば、データベースのＵＲＬ情報の内容を確認でき、データベース内のインターネット情報の内容を容易に推測することができる。
【００１５】
また、この発明に係るインターネット情報処理装置は、上記の発明において、さらに、前記表示手段により表示されたＵＲＬに関する情報の追加・変更・削除等の編集をする編集手段を備えたことを特徴とする。
【００１６】
この発明によれば、ＵＲＬに関する情報を容易に更新することができ、それにともなってデータベースの内容も更新することができる。
【００１７】
また、この発明に係るインターネット情報処理装置は、上記の発明において、さらに、前記収集手段が収集をおこなうスケジュールに関する情報を入力するスケジュール情報入力手段を備え、前記収集手段が、前記スケジュール情報入力手段により入力されたスケジュールに関する情報に基づいてインターネット情報を収集することを特徴とする。
【００１８】
この発明によれば、インターネット情報の経時的変化に対応したデータベースを構築することができる。
【００１９】
また、この発明に係るインターネット情報処理装置は、上記の発明において、前記入力手段により入力されたＵＲＬに関する情報のうち、ＷＷＷ（Ｗｏｒｌｄ  Ｗｉｄｅ  Ｗｅｂ）ブラウザの履歴情報、ブックマーク情報等、ＵＲＬに関する情報が変更され得るＵＲＬ可変情報を監視する監視手段を備え、前記収集手段が、前記監視手段により監視されたＵＲＬ可変情報が変更された場合に、前記変更された内容に基づいてインターネット情報を収集することを特徴とする。
【００２０】
この発明によれば、変更されるＵＲＬに関する情報に基づく情報が収集され、操作者の意向に合致したインターネット情報によるデータベースを構築することができる。
【００２１】
また、この発明に係るインターネット情報処理方法は、インターネットにより収集した情報を検索するためのデータベースを構築するインターネット情報処理方法において、ＵＲＬ（Ｕｎｉｆｏｒｍ  Ｒｅｓｏｕｒｃｅ  Ｌｏｃａｔｏｒ）に関する情報を入力する入力工程と、前記入力工程により入力されたＵＲＬに関する情報に基づいてインターネット情報を収集する収集工程と、前記収集工程により収集されたインターネット情報を検索用に加工する加工工程と、前記収集工程により収集されたインターネット情報および前記加工工程により検索用に加工されたインターネット情報に基づいて、データベースを構築する出たベース構築工程とを含んだことを特徴とする。
【００２２】
この発明によれば、ＵＲＬ情報に基づいた検索用のデータベースができる。
【００２３】
また、この発明に係るインターネット情報処理方法は、上記の発明において、前記加工工程が、前記収集工程により収集されたインターネット情報の中から検索の対象となる語句を抽出する語句抽出工程を含んだことを特徴とする。
【００２４】
この発明によれば、たとえば、語句どうしの統計データにより類似度計算する類似検索等、語句に基づく検索用のデータベースができる。
【００２５】
また、この発明に係るインターネット情報処理方法は、上記の発明において、さらに、前記データベースごとに前記入力工程により入力されたＵＲＬに関する情報を表示する表示工程を含んだことを特徴とする。
【００２６】
この発明によれば、データベースのＵＲＬ情報の内容を確認でき、データベース内のインターネット情報の内容を容易に推測することができる。
【００２７】
また、この発明に係るインターネット情報処理方法は、上記の発明において、さらに、前記表示工程により表示されたＵＲＬに関する情報の追加・変更・削除等の編集をする編集工程を含んだことを特徴とする。
【００２８】
この発明によれば、ＵＲＬに関する情報を容易に更新することができ、それにともなってデータベースの内容も更新することができる。
【００２９】
また、この発明に係るインターネット情報処理方法は、上記の発明において、さらに、前記収集工程が収集をおこなうスケジュールに関する情報を入力するスケジュール情報入力工程を含み、前記収集工程が、前記スケジュール情報入力工程により入力されたスケジュールに関する情報に基づいてインターネット情報を収集することを特徴とする。
【００３０】
この発明によれば、インターネット情報の経時的変化に対応したデータベースを構築することができる。
【００３１】
また、この発明に係るインターネット情報処理方法は、上記の発明において、前記入力工程により入力されたＵＲＬに関する情報のうち、ＷＷＷ（Ｗｏｒｌｄ  Ｗｉｄｅ  Ｗｅｂ）ブラウザの履歴情報、ブックマーク情報等、ＵＲＬに関する情報が変更され得るＵＲＬ可変情報を監視する監視工程を含み、前記収集工程が、前記監視工程により監視されたＵＲＬ可変情報が変更された場合に、前記変更された内容に基づいてインターネット情報を収集することを特徴とする。
【００３２】
この発明によれば、変更されるＵＲＬに関する情報に基づく情報が収集され、操作者の意向に合致したインターネット情報によるデータベースを構築することができる。
【００３３】
また、この発明に係る記憶媒体は、上記の方法をコンピュータに実行させるプログラムを記録したことで、そのプログラムを機械読み取り可能となり、これによって、上記の動作をコンピュータによって実現することが可能である。
【００３４】
【発明の実施の形態】
以下に添付図面を参照して、この発明に係るインターネット情報処理装置、インターネット情報処理方法およびその方法をコンピュータに実行させるプログラムを記録したコンピュータ読み取り可能な記録媒体の好適な実施の形態を詳細に説明する。
【００３５】
まず、この発明の本実施の形態によるインターネット情報処理装置を含む情報処理装置のハードウエア構成を説明する。図１は、本実施の形態による情報処理装置のハードウエア構成を示すブロック図である。
【００３６】
図１において、１０１はシステム全体を制御するＣＰＵを、１０２はブートプログラム等を記憶したＲＯＭを、１０３はＣＰＵ１０１のワークエリアとして使用されるＲＡＭを、１０４はＣＰＵ１０１の制御にしたがってＨＤ（ハードディスク）１０５に対するデータのリード／ライトを制御するＨＤＤ（ハードディスクドライブ）を、１０５はＨＤＤ１０４の制御で書き込まれたデータを記憶するＨＤを、１０６はＣＰＵ１０１の制御にしたがってＦＤ（フロッピーディスク）１０７に対するデータのリード／ライトを制御するＦＤＤ（フロッピーディスクドライブ）を、１０７はＦＤＤ１０６の制御で書き込まれたデータを記憶する着脱自在のＦＤを、１０８は、ドキュメント、画像、機能情報等のデータに関するウインドウを表示するディスプレイを、それぞれ示している。
【００３７】
また、１０９は通信回線１１０を介してネットワークＮＥＴに接続され、そのネットワークＮＥＴと内部のインターフェイスを司るインターフェイス（Ｉ／Ｆ）を、１１１は文字、数値、各種指示等の入力のためのキーを備えたキーボードを、１１２はカーソルの移動や範囲選択、あるいはウインドウの移動やサイズの変更等をおこなうマウスを、１１３は画像を光学的に読み取るスキャナを、１１４はウインドウに表示された内容等を印刷するプリンタを、１１５は、着脱可能な記録媒体であるＣＤＲＯＭを、１１６は、ＣＤＲＯＭ１１５に対するデータのリードを制御するＣＤＲＯＭドライブを、それぞれ示している。また、各部はバス１００により接続されている。
【００３８】
また、図２は、本実施の形態によるインターネット情報処理装置の構成を機能的に示すブロック図である。図２において、インターネット情報処理装置は、データベース２００と、入力部２０１と、収集部２０２と、加工部２０３と、表示部２０５と、編集部２０６と、スケジュール情報入力部２０７と、監視部２０８とを備える。また、加工部２０３は、語句抽出部２０４を備える。
【００３９】
データベース２００は、インターネットにより収集した情報を含む情報から構成される。インターネットにより収集した情報以外に、ハードディスク１０５等に記憶された情報であってもよい。
【００４０】
入力部２０１は、ＵＲＬ（Ｕｎｉｆｏｒｍ  Ｒｅｓｏｕｒｃｅ  Ｌｏｃａｔｏｒ）に関する情報を入力する。ＵＲＬに関する情報の入力は、たとえば、キーボード１１１により直接入力する場合や、あるいは、ディスプレイ１０８に表示されたＵＲＬをマウス１１２等でクリックすることで選択することにより入力する場合等が考えられる。
【００４１】
収集部２０２は、入力部２０１により入力されたＵＲＬに関する情報に基づいてインターネット情報を収集する。所定のプロトコルにより、上記ＵＲＬにアクセスし、アクセスしたＵＲＬの情報をダウンロードすることにより、情報の収集をおこなう。
【００４２】
加工部２０３は、収集部により収集されたインターネット情報を検索用に加工する。加工処理の具体的内容としては、たとえば、語句抽出部２０４を備え、語句抽出部２０４が収集部２０２により収集されたインターネット情報の中から検索の対象となる語句を抽出する。語句の抽出は形態素解析機能等をもちいておこなう。
【００４３】
そして、たとえば、各語句の出現する数をカウントしたデータである頻度データ、１つの語句の各部分の出現回数をカウントしたデータであるクラスター分布データ、１つの語句の各部分の頻度の逆数を合計することによって計算される稀度データ等の複数の統計データを計算することにインターネット情報を検索用に加工する。
【００４４】
データベース２００は、収集部２０２により収集されたインターネット情報および加工部２０３により検索用に加工されたインターネット情報に基づいて構築される。
【００４５】
表示部２０５は、データベース２００ごとに入力部２０１により入力されたＵＲＬに関する情報を表示する。表示は、たとえば、ディスプレイ１０８等に表示することによりおこなう。
【００４６】
編集部２０６は、表示部２０５により表示されたＵＲＬに関する情報の追加・変更・削除等の編集をする。ＵＲＬに関する情報の追加・変更・削除等の編集については後述する。
【００４７】
スケジュール情報入力部２０７は、収集部２０２が収集をおこなうスケジュールに関する情報を入力する。その際、収集部２０２は、スケジュール情報入力部２０７により入力されたスケジュールに関する情報に基づいてインターネット情報を収集する。スケジュール情報の内容およびスケジュール情報入力部２０７における具体的なスケジュール情報の入力方法については後述する。
【００４８】
監視部２０８は、入力部２０１により入力されたＵＲＬに関する情報のうち、ＷＷＷブラウザの履歴情報、ブックマーク情報等、ＵＲＬに関する情報が変更され得るＵＲＬ可変情報を監視する。その際、収集部２０２は、監視部２０８により監視されたＵＲＬ可変情報が変更された場合に、変更された内容に基づいてインターネット情報を収集する。
【００４９】
なお、入力部２０１、収集部２０２、加工部２０３、語句抽出部２０４、表示部２０５、編集部２０６、スケジュール情報入力部２０７、監視部２０８は、それぞれ、ＲＯＭ１０２、ＲＡＭ１０３またはハードディスク１０５、フロッピーディスク１０７、ＣＤＲＯＭ１１５等の記録媒体に記録されたプログラムに記載された命令にしたがってＣＰＵ１０１等が命令処理を実行することにより、各部の機能を実現するものである。
【００５０】
つぎに、本実施の形態によるインターネット情報処理装置の機能について説明する。本実施の形態によるインターネット情報処理装置の主な機能としては、「▲１▼類似情報抽出機能」、「▲２▼自動構築／自動更新機能」「▲３▼情報要約機能」がある。
【００５１】
（▲１▼類似情報抽出機能）
情報を探そうとするときに一番問題となるのは、その情報の正確なタイトルやキーワードがわからないことである。たとえ操作者が以前に見たことがあるものであっても、検索する際に忘れていることが多い。
【００５２】
類似情報抽出機能とは、意味や概念の類似する文書を探しだす類似検索技術により実現したもので、その特長は、ふだん使っている文章を入力するだけで目的の情報はもちろん、それと内容の類似する情報も見つけ出すことである。検索したい情報の記憶があいまいであっても、確実に目的の情報を手に入れることができる。
【００５３】
この機能によって、これまで意味が類似しているにもかかわらず見落とされていた情報の発見も可能になる。これは、単にキーワードが一致した情報を探しだすだけの従来の検索ソフトでは不可能なことである。
【００５４】
（▲２▼自動構築／自動更新機能）
情報は、鮮度が大切である。どんなにたくさんの情報をもっていても、それが古くてはほとんど役に立たないことが多い。しかし、情報をいつも新しいものに保っておくのはかなりの労力を要する。また、いつ更新されるかわからないＷｅｂ情報を絶えず監視しておくのも手間がかかる。
【００５５】
インターネット情報処理装置は、こうした面倒な情報更新の作業をすべて自動化し、取り込んだ情報をまずはじめに簡単な操作だけで「情報ボックス（文書データベース）」にし、その更新のタイミング（日時など）さえ設定するだけでよい。また、インターネットからの情報の取り込みも自動化する。押さえておきたいサイトと、そこへ訪問するスケジュールさえ指定すれば、以後自動的に、更新された情報だけを取り込む。
【００５６】
このとき、追加されたＷｅｂのブックマークや履歴も自動的に「情報ボックス」へ反映される。しかも、こうした設定を簡単なマウス操作だけでおこなう。最初の簡単な設定だけで常に最新の情報を手に入れ、“自分だけのデータベース”を発展させていくことができる。
【００５７】
（▲３▼情報要約機能）
入手した情報の内容を、その主旨に沿って正しく要約してくれるのが情報要約機能である。情報要約機能は、単なる要約だけではなく、目次、要約、本文をハイパーリンク付きで一覧でき、構造的な文書把握をすることができる。これによってニュースメールなど、文字量の多い情報の要点をすばやく正確にとらえ、自分が知りたい情報のみを集中的に知ることができる。
【００５８】
したがって、面倒で読むのをつい後回しにしてきた長文の情報であっても、ためらわずにその場で目を通せるようになる。
【００５９】
さらに、目的のサイトへ簡単にたどりつける便利なＵＲＬリンク集を添付し、好みのキーワードや文章を入力し、ＵＲＬリンク集を作成することができる。ユーザーはマウスをクリックして好みのジャンルのリンクをたどっていくだけで、目的の情報へたどりつけることができる。途中で気になる情報と出会ったらダウンロードの設定をして「情報ボックス」の中へ入れる作業をすることにより、“自分だけのデータベース”を作成することができる。
【００６０】
本実施の形態に係るインターネット情報処理装置は、たとえばつぎのような問題を抱えているユーザーに対して、効果的な解決策を提供する。
【００６１】
▲１▼探したい情報の正確な言葉がわからない。
▲２▼入手した情報をもっと役立てたい。
▲３▼取り込んだＷｅｂ情報の整理が追いつかない。
▲４▼ブラウザのブックマーク量が増大し整理が難しい。
▲５▼以前見つけた情報の在りかがわからなくなった。
▲６▼検索サイトからたどったリンクが切れていることが多い。
▲７▼必要なメールをすぐに見つけ出せない。
▲８▼毎日送られてくるメールニュースをすべて読む時間がない。
▲９▼メールの分類に苦労している。
○10メーリングリストの中から必要なコメントだけピックアップしたい。
【００６２】
図３は、本実施の形態によるインターネット情報処理装置の適用範囲の組み合わせを示す説明図である。図３に示すように、インターネット利用によって発生するこれらの問題を、本実施の形態によるインターネット情報処理装置は解決し、そのうえＷｅｂ情報をはじめ、メール、パソコン通信ログ、あるいはハードディスク内などのさまざまな情報を収集して、アンケート結果、掲示板の書き込み、ニュースメール、ホームページ、企画書、専門論文等を対象とした企画立案、調査、趣味、勉強、就職活動、ショッピングといった幅広い用途への応用が可能である。
【００６３】
図４は、本実施の形態によるインターネット情報処理装置の活用の事例を示す説明図である。図４に示すように、ステップ１〜ステップ４までを実行することにより、インターネットをより効率的かつ発展的に活用することができる。
【００６４】
さらに、本実施の形態によるインターネット情報処理装置は、以下の機能を備える。
【００６５】
自然文インターフェイス機能、
「情報ボックス」の自動構築／自動更新機能、
問い合わせ条件／取得結果再利用「マイクリップ」機能、
マルチフォーマット対応機能、
メールデータ取り込み機能、
インターネット自動巡回機能。
【００６６】
（自然文インターフェイス機能）
インターネット情報処理装置は、問い合わせ条件欄に探したい情報に関する文章を入力し、問い合わせボタンをクリックすることにより検索処理をおこなう。入力する文章は話し言葉のような自然な文章でよい。また、たとえ正確な内容がわからなくても、関係がありそうな文章を入力すれば、それを元に類似検索技術を用いることにより、ユーザーの意図に沿った情報を検索する。
【００６７】
そして、検索された情報は、問い合わせ内容との類似度順に一覧表示される。また必要であれば、そこに表示された情報そのものを再度問い合わせ条件にして、さらに類似性の高い情報を検索することもできる。これは、単なるキーワードの一致ではなく文章の意味や概念に基づいて情報抽出ができるからである。
【００６８】
（「情報ボックス」の自動構築／自動更新機能）
インターネット情報処理装置を利用するには、まず取り込んだ情報を「情報ボックス」と名付けられた文書データベースに取り込んでおく必要がある。情報ボックスは、対象となる情報をマウスで指定するだけで自動的に生成される。さらにスケジュール機能によって、情報ボックスは以後ユーザーが設定した通りのタイミングで自動的に最新の状態に更新にされる。情報ボックスの作成から更新まで手間がかからない快適環境を提供し、“自分だけのデータベース”を作成することができる。
【００６９】
（問い合わせ条件／取得結果再利用「マイクリップ」機能）
インターネットを利用していると、以前に見つけた情報を再度調べたり、あるいはＷｅｂに追加された関連情報をチェックする必要性が頻繁に生じる。本実施の形態によるインターネット情報処理装置では、情報を見つけ出すための問い合わせ条件や、それによって得た結果を保存・整理・再利用することができる。
【００７０】
このように、問い合わせ条件／取得結果再利用機能が「マイクリップ」機能である。「マイクリップ」機能により、毎日使うような場合でも、すぐに同じ問い合わせ条件を呼び出すことができる。しかも「マイクリップ」機能は移動可能なファイルなので、オフィスと自宅等、別の情報処理装置において利用したり、あるいは同じ趣味の仲間どうしでそれを配布・交換し合うことも可能である。
【００７１】
（マルチフォーマット対応機能）
多数のユーザーが利用するインターネットであり、そこには多種多様なフォーマットの情報が流通している。本実施の形態によるインターネット情報処理装置は、ＨＴＭＬ（ＨｙｐｅｒＴｅｘｔ  Ｍａｒｋｕｐ  Ｌａｎｇｕａｇｅ）文書、ＰＤＦ（Ｐｏｒｔａｂｌｅ  Ｄｏｃｕｍｅｎｔ  Ｆｏｒｍａｔ）ファイル、ワープロソフト、表計算ソフト等の各種アプリケーションでもちいられている文書フォーマットなど、インターネットでよく利用されているほとんどの文書フォーマットをサポートする。したがって、ユーザーは形式の違いを意識することなく情報を入手・活用することができる。
【００７２】
（メールデータ取り込み機能）
情報交換は電子メールでおこなっているユーザーも多く、今や電子メールは重要な情報源である。インターネット情報処理装置は、そのような電子メールからの情報入手もおこなうことできる。
【００７３】
各種メーラーアプリケーションに対応し、それぞれのメーラーのメールボックスを選択しその種類を指定するだけで、情報ボックスに取り込むことができ、それらを自分の情報源として活用することができる。
【００７４】
（インターネット自動巡回機能）
インターネット情報処理装置は、よく訪れるＷｅｂサイトへのアクセスは自動化するインターネット自動巡回機能を搭載した。この機能を利用すれば、指定した複数のＷｅｂサイトの最新情報を一括して入手することができる。いったん設定しておくだけで以後自動的に情報の取り込みがおこなわれるので、ユーザーは意識することなく情報を常に最新の状態に保つことできる。しかもこの情報の取り込みは、Ｗｅｂブラウザのブックマークや履歴からも自動的におこなうよう設定できる。
【００７５】
つぎに、上述した各機能の具体的内容について、本実施の形態によるインターネット情報処理装置の表示画面をもちいて詳細に説明する。
【００７６】
（「問い合わせ」ユーザーインターフェイス）
図５は、本実施の形態によるインターネット情報処理装置の表示画面の一例である。図５に示すように、何か知りたい情報が発生したときに、すぐ問い合わせをかけられるよう、「問い合わせ条件」欄５０１に情報ニーズを記入して、「問い合わせ」ボタン５０２をクリックするだけ、という簡単なユーザーインターフェイスを実現している。
【００７７】
（どのような長さの自然文にも対応した「問い合わせ条件」）
従来の一般的な自然文検索サービスにおいては、対応できる文長に制限があった。本実施の形態によるインターネット情報処理装置では、そのような制限はない。したがって、既存の文書などをまるごと問い合わせ条件にすることも可能である。
【００７８】
（問い合わせ条件への類似度に応じた結果リスト）
問い合わせの結果は、問い合わせに対して、内容的にもっとも類似したものから、内容的に少しだけでも類似もしくは関連したものまで、類似度順に表示する。パラメータ表示（５０３）で視覚的に類似度を示すので、類似性の距離感をもって、結果を閲覧することができる。
【００７９】
（元のドキュメントのレイアウトをそのままに表示するビューア）
結果リストから選択した情報の内容は、ビューア５０４で閲覧することができる。本実施の形態によるインターネット情報処理装置のビューア５０４は、ＨＴＭＬはもちろんのこと、各種ワープロソフト、表計算ソフト等、数多くのフォーマットを、レイアウトそのままに表示することができる。
【００８０】
特にインターネット上のホームページは、画像も含めてブラウザ上で表示されるイメージそのものを表示する。それ以外の対応フォーマットはテキストで表示する。
【００８１】
また、日常のＷｅｂサーフィンやブックマークが活用のベースになる。すなわち、本実施の形態によるインターネット情報処理装置は、対象とするインターネット情報を自動巡回機能で収集するだけでなく、意識的にダウンロードしなくても、日常のＷｅｂサーフィンやブックマーク追加をおこなうだけで、問い合わせの対象となる情報を自動的に更新する。
【００８２】
したがって、意識的に操作する必要なく、いつもおこなっている作業から、自分だけのデータベースを発展させていくことができる。そのための機能として以下のものある。
【００８３】
（インターネット情報を格納する情報ボックス）
インターネット情報処理装置では、インターネット情報などに含まれるコンセプト（概念）を抽出し格納することにより、効率的な問い合わせやインテリジェントな情報発掘を実現する。このコンセプトを格納する単位を「情報ボックス」という。したがって、インターネットに散在する知識をパーソナライズして格納するデータベースとなる。情報ボックスは日本語／英語の両言語に対応しており、情報ボックスの作成時に言語を選択する。
【００８４】
（情報ボックスを簡単に操作する「情報ボックスマネージャー」）
情報ボックスの操作／編集用に、「情報ボックスマネージャー」を備える。図６に示すのが、情報ボックスマネージャーの表示画面の一例である。この情報ボックスマネージャーにより自分だけの情報の宝庫である情報ボックスの新規作成／対象情報の追加／更新スケジュール設定などが可能である。
【００８５】
（Ｗｅｂブラウザの履歴やブックマークの自動反映）
Ｗｅｂブラウザの履歴やブックマークあるいはブックマークフォルダ全体を自動的に「情報ボックス」の対象とすることができる。「情報ボックス」の編集機能により、一度対象設定すれば、Ｗｅｂブラウザの履歴とブックマークに登録されているＵＲＬを自動的に取り込み、デフォルト時で１階層（ユーザーによる変更可能）の自動巡回をおこなう。巡回結果は自動的に情報ボックスに更新されるので、ユーザーは通常のＷｅｂサーフィンや気になったホームページをブックマークすることにより、あとは自動的に情報ボックスの内容を更新することができる。
【００８６】
（関心分野別のＵＲＬリンク集の提供）
インターネットで関心のある情報を集めたいが、どこから始めてよいかわからないユーザーのために、目的別に厳選したＵＲＬリンク集を用意する。さらに、多数の目的／関心分野を添付する。リンク先の内容を、自動巡回の対象として取捨選択することが可能なので、独自の情報ボックスを、関心をもっている分野別に作成することができる。リンク集の内容のカスタマイズ（ＵＲＬの追加／削除）も可能である。
【００８７】
（複数のＷｅｂ検索エンジンからのリスト取得をサポート）
ＵＲＬリンク集のカスタマイズをおこなう際に、どのＵＲＬを登録すればよいのかについて、その際のナビゲーションとして、既存のＷｅｂ検索エンジンを利用できる。
【００８８】
キーワード入力もしくは自然文入力による検索条件を設定して、登録されている複数の主要なＷｅｂ検索サービスに自動的に発行、結果リストを同時に取得し、リンク集をカスタマイズするときの選択肢として提示する。ここから関心を持ったＵＲＬ情報を取得し、問い合わせの対象とすることができる。
【００８９】
（柔軟な設定が可能な自動巡回機能）
リンク集のＵＲＬの１階層だけでなく、さらにそのＷｅｂ情報のリンクをたどって、複数の階層にわたるＷｅｂ情報を対象とすることができる。階層の設定はＵＲＬごとやフォルダごとに任意に設定することが可能である。これはＷｅｂブラウザのブックマークから取り込んだＵＲＬに対しても同様である。この機能により、ユーザーはより広い範囲のＷｅｂ情報を取り込むことが可能になる。
【００９０】
本実施の形態によるインターネット情報処理装置は、気になる分野の最新情報を定期的にチェックすることができる。一度見つけた情報を後日またチェックする必要が生じる。または、新規にＷｅｂに追加された関連情報をチェックしたい場合がある。以下に説明する機能をもちいて、情報を見つけ出すための問い合わせ条件や、それによって得た結果を保存・整理・再利用することができる。
【００９１】
（問い合わせ条件や結果を保存し、再利用する「マイクリップ」）
一度問い合わせした条件および結果を、図７に示す登録画面（登録ダイアログボックス）７０１をもちいてそれぞれ保存し、後日再活用することが可能である。この機能が上述した「マイクリップ」機能である。
【００９２】
条件のみを保存し、その都度問い合わせをおこなう保存形式と、条件および結果を保存する形式の２つがある。前者の保存形式のマイクリップでは、相対的な時間指定も含むことができるので、オンラインニュースサイトなどで毎日変化するコンテンツを対象として、「最新１週間の記事」や「今日の記事」といった新規情報チェックも可能である。
【００９３】
（最新情報をさまざまな観点でチェックできる結果リスト）
図８に示すように、自動的に更新された情報ボックスを対象として、新規の情報が追加された結果リスト８０１が取得できる。この結果リスト８０１は、デフォルトでは類似度で順位付けされているが、日付や見出しでソートできるので、多角的な観点でチェックが可能である。
【００９４】
（「マイクリップ」の共有）
マイクリップに登録した「問い合わせ条件」は、他人と共有することが可能である。個人で利用したマイクリップを他人へ提供するといった使い方ができる。
【００９５】
また、本実施の形態によるインターネット情報処理装置は、Ｗｅｂからローカルファイルまで、多様なメディアを収集／蓄積／活用する。情報ボックスには、Ｗｅｂサーバー上のＨＴＭＬデータだけでなく、メールデータ、パソコン通信の掲示板書き込み、電子メールニュース、ローカルファイルを収集することができる。
【００９６】
そして、ユーザーは、それらのメディア種別やフォーマットを気にすることなく、問い合わせ条件の観点のみから、情報を再活用することができるので、ユーザーが何か情報を探したり、作業を始めるときの出発点（ポータルアプリケーション）といえる。
【００９７】
（メールデータの取り込みと対応するメーラー種別）
メールデータは、ローカルディスクに保管されているメールボックスを指定するだけで、情報ボックスへメールの一件一件を自動的に反映および更新する。また、電子メールニュースは１件に複数のトピックが記載されていることが多いため、実際に欲しい情報を表示するために、まず「該当するメールを探し」、つぎに「メール内で記載されている場所を探す」の２段階の作業が必要となる。そこで、電子メールニュースの専用カッターを利用し、トピックごとに自動でメールを分割して情報ボックスへ登録することができる。
【００９８】
（パソコン通信掲示板／メールの取り込みと対応するパソコン通信種別）
パソコン通信ログも、１ファイルに複数のトピックが記載されていることが多いため、実際に欲しい情報を表示するために、まず「該当するファイルを探し」、つぎに「ファイル内で記載されている場所を探す」の２段階の作業が必要となる。そこで同様に、通信ログの専用カッターを利用し、トピックごとに自動でファイルを分割して情報ボックスへ登録することができる。これは、通信ログを対象として、情報ボックスへ設定する。
【００９９】
（ログカッターのカスタマイズ機能）
電子メールニュースや通信ログの分割は、あらかじめ指定された定義ファイルに記述された文法（デリミタ）に基づいて実行される。ユーザーはテキストエディタを利用して定義ファイルを編集し、カッターの追加・修正をおこなうことができる。
【０１００】
（豊富な文書フォーマットへの対応）
問い合わせ可能な文書フォーマットとして、多種多様なフォーマットへ対応している。対応する文書フォーマットとしては、各種ワープロソフト文書、グラフィックソフト文書のほか、ＰＤＦ１．２（＊．ｐｄｆ）ファイル、テキスト文書（＊．ｔｘｔ）ファイル、表計算文書（＊．ｓｌｋ）ファイル、ＨＴＭＬ文書（＊．ｈｔｍ）ファイル等がある。
【０１０１】
また、本実施の形態によるインターネット情報処理装置は、各種メディアすべてから一度に欲しい情報へアクセスすることができるよう以下の機能を備える。したがって、さまざまなメディアから、蓄積されたさまざまな対象情報に対して、横断的に問い合わせをすることを可能にした。
【０１０２】
（情報ボックスが対象とする情報種別の柔軟な設定）
情報ボックスマネージャーから、各種メディアの情報を一つの情報ボックスに反映することもでき、メディアごとに情報ボックスを分割することもできる。このような柔軟な対象情報設定機能により、ユーザーが自由に情報ボックスの範囲を設定することができる。その状態を示したのが図９である。
【０１０３】
（問い合わせ対象とする情報ボックスの複数選択）
一つの情報ボックスには、テキスト量換算で３００ＭＢまでの情報を反映することができ、また、問い合わせ時に同時に選択できる情報ボックスは最大５個まで設定できる。したがって、メディアごとに情報ボックスを分割していても、問い合わせ時に横断的に問い合わせることが可能である。
【０１０４】
（よく使う情報ボックスの組み合わせを登録）
よく使う情報ボックスの組み合わせを登録しておく登録セット機能であり、問い合わせ目的に応じて、図１０に示す情報ボックスの選択ダイアログボックス１００１をもちいて、瞬時に情報ボックスを切り替えることが可能である。情報ボックスを１からすべて選択する手間を必要とせず、問い合わせの効率が格段に向上する。
【０１０５】
また、本実施の形態によるインターネット検索情報装置は、得られた情報を、元のアプリケーションで呼び出すことができる。問い合わせた結果の情報を再利用したいという場面は必ず発生する。そのとき、その情報のフォーマットに適したアプリケーションで、元の情報を呼び出すことにより、パソコンでおこなう作業の出発点となる。
【０１０６】
（問い合わせ結果リストからのツール起動）
問い合わせ結果リストで、対象とする結果を選択して、ショートカットメニュー−ツール起動もしくは、メニュー−ツール起動から、フォーマットに関連付けされているアプリケーションを自動起動し、元の情報を呼び出すことができる。
【０１０７】
情報ボックスは、最初に対象とする情報の設定をおこなっておけば、あとは自動的に作成／更新がおこなわれる。ユーザーは最初に設定し、あとはいつも通り使用し続けるだけで、情報ボックスは発展していくことになる。
【０１０８】
（情報ボックスの作成／更新スケジュール設定）
情報ボックスは、作成や更新をおこなうタイミングをスケジューリングできる。一度設定しておけば、対象となるメディアなどに情報が追加されていた場合、その更新分を自動的に、設定したタイミングで反映していくので、ユーザーは特に意識をしなくても、情報ボックスには自動的にコンセプトが格納されていく。
【０１０９】
スケジュール設定項目は、処理内容（更新／再作成）と日時設定（一回）、毎日の定時設定、毎週の曜日／定時設定である。図１１は、スケジュール設定項目を表示したダイアログボックス１１０１を示す。
【０１１０】
さらに、どのような初心者ユーザーにも簡単に使用することができるようにさまざまな支援機能を備えている。
【０１１１】
（対話作成による情報ボックスの作成支援）
情報ボックスをもっと手軽に、そして分かりやすく作成できるよう、図１２に示すような、対話形式により情報ボックスが作成できるウィザードを備える。ユーザーはウィザードにしたがってって操作を進めるだけで、簡単に情報ボックスを作成することができる。
【０１１２】
また、本実施の形態によるインターネット情報処理装置は、あいまいな問い合わせ内容でも自然な言葉で、関連情報や語彙を一挙に提示することができる。問い合わせ文の内容との類似性によって、関連情報の結果を取得する。このとき、関連する語彙（関連語）を情報ボックスごとに、その場で自動学習することも可能なので、思いついた表現と異なるが、意味的に関連する情報まで取得することができる。このような機能により、ユーザーは探したかった情報だけでなく、思いもよらない新鮮な情報をも発見することができる。
【０１１３】
（関連する語彙を自動的に抽出する関連語拡張）
たとえば「昨日の野球の試合結果」という問い合わせをおこなった場合に、意味的には類似していても、まったくその問い合わせ文と異なる語彙からなる情報もあり得る。「広島対巨人、０−１、広島市民球場、勝ち投手桑田、負け投手佐々岡」といったような情報しかない場合である。
【０１１４】
従来の一般の検索ソフトウェアでは事前にシソーラス（類義語）辞書を準備して、シソーラス拡張をおこなうという解決をおこなってた。しかし、これでは特殊な語彙から構成される情報や、言葉の変遷には対応できない。
【０１１５】
図１３に示すような関連語の追加ダイアログボックス１３０１をもちいて、問い合わせ文と非常に強い関連性をもつコンセプトを、選択している情報ボックスに格納されている中から、自動的に抽出することにより、事前になんら調整作業をおこなわなくとも、対象とする情報にマッチした関連語の自動追加が問い合わせ文に対しておこなわれるので、ユーザーの意識している情報だけでなく、関連のある情報はすべて取得できる。その結果、思いもよらない情報を発見することができるに出会うことができる。
【０１１６】
（語彙空間にユーザーの意図を反映する語句編集）
問い合わせ文に含まれるコンセプトを自動解析するが、そのコンセプトに対して、特別にユーザーがバイアスをかけたい場合もある。そのような場合に、解析されたコンセプトの編集や重み変更が可能である。＋の重みを追加すると、そのコンセプトを含む情報を上位の類似度に上げ、−の重みを追加すると、そのコンセプトを含む情報を下位に下げていく。
【０１１７】
また、本実施の形態によるインターネット情報処理装置は、問い合わせた結果をまた条件にするフィードバックでさらなる関連情報を獲得することができる。すなわち、問い合わせ文の長さに制限がないことから、従来にはまったくなかった操作性を実現する。問い合わせた結果を再度問い合わせ条件とするというフィードバックが可能になり、これにより、ユーザーは対象とする情報ボックスの中での情報の関連をサーフィンしていく（繰り返しおこなっていく）ことが可能になる。
【０１１８】
（問い合わせ結果からの条件フィードバック）
図１４に示すように、問い合わせ結果リストから、一つの情報を選択して、直接問い合わせボタン１４０１をクリックする、もしくは、結果読込ボタン１４０２を押して内容を修正してから問い合わせボタン１４０１をクリックすることで、関連情報を次々とサーフィンしていくことが可能である。
【０１１９】
また、本実施の形態によるインターネット情報処理装置は、瞬時に複数のドキュメントの全体を把握できる高精度要約ビューを備える。関連情報が数多く取得され、通常は類似度順に閲覧していくが、限られた時間の中で、必要な箇所だけ閲覧したいというニーズに応え、精度の向上した要約機能を搭載してる。
【０１２０】
（高精度文書要約機能）
複数の問い合わせ結果から自動的に、目次と要約を生成する。これは、情報内容の要点を自動的にまとめてくれるもので、文章の構造をこわすことなく、文中で重要度の低い部分のみを排除するという高度な文章構造解析技術を駆使した要約機能である。
【０１２１】
したがって、単なる重要文の抽出だけをサポートした他社の要約機能では得られなかった、情報内容のすばやく正確な把握が可能である。しかも要約の際に、目次が自動的に生成されるので、要約文や元の情報内容（本文）の把握が容易におこなうことができる。さらに、図１５に示すような、目次１５０１、要約１５０２、本文１５０３にはハイパーリンクも自動的に設定されるため、必要とする情報を瞬時にとらえることができる。
【０１２２】
また、本実施の形態によるインターネット情報処理装置は、統計的にドキュメントの概念を解析する。文章の意味や概念の類似性で情報を抽出する技術は、問い合わせしたい内容と問い合わせ対象となっている文書が、どれだけ似ているかを計算する統計処理技術をもちいる。
【０１２３】
まず、文書からまとまって意味を持っている語句（複合名詞句等（例：「機会均等法」等））を自動的に見つける。つぎに語句の文書群における重要度を判定し、文書ごとにこのような語句の語彙空間を抽出する。そして、語彙空間どうしの類似性を判定する。
【０１２４】
したがって、従来の検索システムが、キーワードが文書中に入っているかどうかを論理的に判定し（部分的にキーワードが含まれていれば真となるのでノイズが大きい）、絞り込み作業を何度も繰り返して、欲しい文書を絞り込むものであったのに対して、本実施の形態によるインターネット情報処理装置を利用すれば、どのような長さでも自然文で問い合わせ要求を表現でき、概念（コンセプト）の類似度で判定するので、問い合わせ結果が最適な順序で表される。
【０１２５】
また、形態素解析の技術をさらに発展させた語彙解析技術を使っており、単独の語彙で意味があり、さらに組み合わされることで別の意味を持つ言語の特性に着目している。ここで適切な語彙単位を認識することが統計的な処理の精度を高めることができる。
【０１２６】
また、本実施の形態によるインターネット情報処理装置は、文章構造を解析し、目次生成や文の縮退まで実現する高精度文書要約技術を採用している。
【０１２７】
すなわち、文章の論理構造を解析する。「第１章」といった章立て表現、改行や空白行による段落、「・」による箇条書きなど、文章中の論理構造表現の解析をおこない、意味的な解析とあわせてることでより正しい要約文を生成する。
【０１２８】
また、文の主題を解析し、高精度な日本語要約を実現する。指示詞や接続助詞等の「つなぎ言葉」を解析し、文の主題を解析する機能を強化し、従来の要約機能と比較して、さらに高い要約精度を実現する。
【０１２９】
また、文の骨格を解析し、本格的な長文短縮を実現する。修飾語などの本題と関連の薄い部分を判別し、長文から重要なフレーズ、文の骨格だけを残すことが可能となり、長文を短く要約した場合でも文の主題を損なわず、明確で速読しやすい要約文を生成することができる。長文短縮で要約された箇所は「私は．．．成功した」のように明示的に表現される。
【０１３０】
論旨の流れを解析し、指示、引用関係を損なわない要約を実現する。従来手法による要約では、「こそあど」や引用符号、接続詞などで結びついている直前の文が脱落して、原文と文意の異なる要約結果を生成してしまうことがあったが、これに対して、「論旨の流れの解析」により、要約された場合でも論旨を損なわれにくい要約機能を実現する。
【０１３１】
つぎに、本実施の形態によるインターネット情報処理装置の操作の手順について説明する。本実施の形態によるインターネット情報処理装置で情報を検索するには、問い合わせに必要な情報ボックスを作成する必要がある。
【０１３２】
（情報ボックスを作成する前に）
ここで、情報ボックスとは、インターネットおよびハードディスクから収集したさまざまな情報をもとに、インターネット情報処理装置で問い合わせができるように構築されたデータベースである。インターネット情報処理装置は、入力された問い合わせ条件に対し、情報ボックスから類似する情報を検索する。
【０１３３】
情報ボックスのもととなる文書としては、▲１▼ＷＷＷ（Ｗｏｒｌｄ  Ｗｉｄｅ  Ｗｅｂ）、▲２▼メール、▲３▼ファイル、▲４▼通信ログの４つが考えられ、これらを情報源とする。１つの情報ボックスの中には、複数の情報源からデータを取り込むことができるので、インターネット情報処理装置では、データの種類を意識することなく必要な情報を検索することができる。
【０１３４】
各情報源から取り込めるデータは以下の通りである。
▲１▼ＷＷＷ：自動巡回機能を使ってインターネットからダウンロードしたＨＴＭＬ（ＨｙｐｅｒＴｅｘｔ  Ｍａｒｋｕｐ  Ｌａｎｇｕａｇｅ）ファイルおよびブラウザが保存したキャッシュファイルも対象となる。
【０１３５】
ブラウザのブックマークや履歴、操作者が作成したリンク集のサイトを作成元とすると、そこに登録されているＵＲＬにアクセスしてデータをダウンロードする。それを元に情報ボックスが作成される。
【０１３６】
▲２▼メール：メールソフトで送信または受信したメールが対象となる。
【０１３７】
▲３▼ファイル：各種ワープロソフトウエア、表計算ソフトウエア、その他グラフィックソフトウエア等により作成されたファイルが対象となる。また、共通化されたファイル、たとえばテキストファイルやＰＤＦファイル等も対象となる。
【０１３８】
▲４▼通信ログ：各種パソコン通信の通信ログが対象となる。
【０１３９】
（情報ボックスを作成する）
対話作成をもちいて、以下の操作（１）〜（１０）の手順で、質問に答えていくことにより、情報ボックスを作成する。
【０１４０】
操作（１）：インターネット情報検索アプリケーションを起動する。この場合、ＯＳのデスクトップ上にあるインターネット情報検索アプリケーションのアイコンをクリックすることにより、あるいは、起動ファイルを指定することにより、起動する。
【０１４１】
操作（２）：情報ボックスの対話作成を開始する。すなわち、図１６に示すような対話作成−設定開始ダイアログボックス１６００を表示させる。
【０１４２】
操作（３）：情報源を選択する。「情報源を選択する」のチェックボックス１６０１をオンにし、さらに、複数の情報源のチェックボックス１６０２〜１６０５のうち、所望の情報源のチェックボックスをオンにすることにより情報源を選択する。ここで、複数の情報源を選択することもできる。選択終了後、「進む」ボタン１６１０をクリックする。
【０１４３】
操作（４）：情報ボックスに取り込むアイテムを指定する。図１７に示すように、情報源のブラウザのブックマーク・履歴・キャッシュの情報が表示される。図１７において、「情報源」欄１７０１に表示された情報源から所望の項目を選択（クリック）し、その後、「追加」ボタン１７０２をクリックすると、選択された情報源の項目が「追加するアイテム」欄１７０３に表示される。複数の項目を選択する場合は、同様の操作を繰り返しおこなう。
【０１４４】
操作（５）：収集方法を設定する。インターネット上から情報を収集する方法を設定する。「追加するアイテム」欄１７０３から収集方法を設定するアイテムを選択して、「詳細設定」ボタン１７０４をクリックすると、図示を省略する収集法方変更のダイアログボックスが表示される。そこで、各項目を設定する。
【０１４５】
各項目として、選択しているフォルダのサブフォルダ内のサイトも情報ボックスを作成する対象とするかしないかを設定する。オンにすると、サブフォルダ内のサイトも情報ボックスを作成する対象となる。
【０１４６】
また、追加するアイテムでブックマークフォルダを選択した場合は、サイト名が表示される。また、追加するアイテムでブックマークが選択された場合は、ＵＲＬ名が表示される。
【０１４７】
また、自動巡回の設定において、ブックマークフォルダ内にあるサイトのＵＲＬを１階層目とし、何階層目までリンクをたどって情報を収集するかを設定する。
【０１４８】
また、別のサーバーへリンクが張られている場合、巡回する範囲を同一サーバーのみに制限するかしないかを設定する。
【０１４９】
また、ＨＴＭＬファイルに指定されているタグの中で、データをダウンロードするタグの種類を選択する。
【０１５０】
操作（６）：情報ボックスに取り込むアイテムを確認する。上記操作（４）で指定したアイテムが一覧される。内容が正しければ、つぎにへ進む。
【０１５１】
操作（７）：情報ボックス名を設定する。以下の各項目を設定する。
【０１５２】
▲１▼情報ボックス名：作成する情報ボックスに付ける名前をたとえば全角３２文字（半角６４文字）以内で入力する。ここで、同じ名前の情報ボックスを複数作ることはできない。
【０１５３】
▲２▼作成先フォルダ：情報ボックスを作成するフォルダが表示され、図示を省略する変更ボタンをクリックすると図示を省略するフォルダの参照ダイアログボックスが表示され、作成先フォルダを変更することができる。
【０１５４】
▲３▼言語：日本語または英語のどちらの情報ボックスを作成するかを選択する。
【０１５５】
操作（８）：スケジュール処理を設定する。以下の各項目を設定する。
【０１５６】
▲１▼スケジュール設定をおこなう処理内容を選択する。ここで、「しない」を選択すると、スケジュール処理をおこなわない。更新や再作成をおこなう場合は、手動にておこなう。また、ここで、「更新」を選択すると、情報ボックスに取り込むアイテムを変更した場合、変更された情報だけを更新する。また、ここで、「再作成」を選択すると、情報ボックスを初めから作成し直す。
【０１５７】
▲２▼更新または再作成を自動的におこなう日時を設定する。ここで、特定の日時に処理をおこないたい場合は、「日時設定」を選択する。また、ここで、毎日決められた時刻に処理をおこないたい場合は、「毎日」を選択する。また、ここで、毎週決められた曜日・時刻に処理をおこないたい場合は、「毎週」を選択する。
【０１５８】
操作（９）：情報ボックスの作成を開始する。図示を省略する「情報ボックスを作成する」ボタンをオンすると、インターネットに接続し、自動巡回して情報を収集する。収集した文書をもとに情報ボックスの作成開始される。
【０１５９】
操作（１０）：情報ボックスを作成されたことを確認する。情報ボックスの選択ダイアログボックス１８００を表示し、作成した情報ボックスの選択可否（属性）を確認する。「○」は作成終了を示し、「×（作成中）」は現在作成中であることを示す。作成終了（済み）の情報ボックスは、問い合わせに利用することができる。
【０１６０】
（文書を入力して問い合わせる）
以下の操作（１）〜（８）の手順で、類似する情報を情報ボックスから検索するための問い合わせをおこなう。
【０１６１】
操作（１）：インターネット情報検索アプリケーションを起動する。この場合、ＯＳのデスクトップ上にあるインターネット情報検索アプリケーションのアイコンをクリックすることにより、あるいは、起動ファイルを指定することにより、起動する。
【０１６２】
操作（２）：問い合わせに利用する情報ボックスを選択する。図１８に示したような情報ボックスの選択ダイアログボックス１８００に表示された情報ボックスから問い合わせに利用する情報ボックスをオンにして、「ＯＫ」ボタン１８０１をクリックする。
【０１６３】
操作（３）：問い合わせ文を入力する。図１９の「問い合わせ条件」欄１９０１に文書を入力する。ここでは、「Ａ社の新製品について知りたい」と入力する。
【０１６４】
操作（４）：図１９の「問い合わせ開始」ボタン１９０２をクリックし、問い合わせを実行する。
【０１６５】
操作（５）：問い合わせ結果の文書をビューアで確認する。問い合わせの結果の一覧が、図２０の「結果リスト」欄２００１に表示される。最初はもっとも類似度の高い文書の内容がビューア２００２に表示される。「結果リスト」欄２００１の左端に表示される順位は、類似度の順位を示し、順位が低くなるほど類似度が低くなる。
【０１６６】
また、「問い合わせ条件」欄１９０１の表示／非表示を切り替えることができる。「問い合わせ条件」欄１９０１を非表示にすることにより、「結果リスト」欄２００１とビューア２００２を広く表示することができる。
【０１６７】
また、ビューア２００２の表示／非表示を切り替えることができる。ビューア２００２を非表示にすることにより、「問い合わせ条件」欄１９０１と「結果リスト」欄２００１とビューア２００２を広く表示することができる。
【０１６８】
また、ビューア２００２を別ウインドウで表示することができる。文書内容を画面全体で表示させる場合や、複数の文書の内容を同時に表示させる場合に便利である。
【０１６９】
「結果リスト」欄２００１に表示された文書の見出しをクリックすることにより、クリックされた文書の内容がビューア２００２に表示される。また、別の文書の見出しをクリックすることにより、ビューア２００２に表示される内容も切り替わる。
【０１７０】
また、問い合わせ結果の文書を拡張子で関連付けられているアプリケーションを起動して表示することもできる。
【０１７１】
また、画面の分割方法を変えることもできる。図２１に示す画面分割切り替えのダイアログボックス２１００をもちいて、「問い合わせ条件」欄１９０１、「結果リスト」欄２００１、ビューア２００２の配置を変更することができる。具体的には、ダイアログボックス２１０１の分割方法の配置方法（ａ）〜（ｂ）の中から所望の方法を選択することにより変更する。
【０１７２】
また、「問い合わせ条件」欄１９０１と「結果リスト」欄２００１の境界線、「結果リスト」欄２００１とビューア２００２の境界線にポインタをあわせてドラッグすることにより、境界線を自由に変更して、各領域の大きさを変更することができる。
【０１７３】
上記操作（１）〜（５）をおこなうことにより、問い合わせがおこなわれるが、再度の問い合わせをおこなう場合は、以下のような操作をおこなう。
【０１７４】
操作（６）：問い合わせ条件の文章を変更して問い合わせる。まず、問い合わせ文を変更し、問い合わせ結果がどのように変化するか確認することができる。
【０１７５】
操作（７）：問い合わせ結果をもとに類似文書を検索する。「結果リスト」欄２００１で問い合わせ条件にしたい文書の見出しをクリックして選択する。それにより、当該文書の見出しは反転表示される。その状態で、「問い合わせ開始」ボタン１９０２をクリックすると、当該文書が「問い合わせ条件」欄１９０１に読み込まれ、問い合わせが実行される。その問い合わせ結果が「結果リスト」２００１に表示され、もっとも類似度の高い文書の内容がビューア２００２に表示される。さらに繰り返して問い合わせ結果の文書を利用して問い合わせることができる。
【０１７６】
操作（８）：「←（前の問い合わせ結果）」ボタン２００３をクリックすることにより１つ前の問い合わせ結果を表示する。もう一度「←（前の問い合わせ結果）」ボタン２００３をクリックすると、もう１つ前の問い合わせ結果を表示する。また、「→（つぎの問い合わせ結果）」ボタン２００４をクリックすることにより１つ先の問い合わせ結果を表示する。
【０１７７】
（検索した情報を効率よく見る）
ビューア２００２の上部にある３つのボタン２００５、２００６、２００７は、表示を切り替えるボタンである。文書のポイントを強調したり、抜粋して表示したりするためにもちいる。
【０１７８】
「トピックを強調表示」ボタン２００６をクリックすると、トピック文が他の文と違った色・書体で表示される。表示はテキスト表示だけとなる。
【０１７９】
また、抽出率を設定することができる。図２２および図２３に示すように、トピック文を強調表示すると、ビューア２００２の上部にトピックの抽出率を設定する欄が出現する。この欄の数値を変更することにより抽出率を設定する。
【０１８０】
図２２は、文の数で指定しており、その数「１０」が指定され表示されている。一方、図２３は、原文に対する比率で指定しており、その抽出率「３０（％）」が表示されている。
【０１８１】
また、「トピックのみを表示」ボタン２００６をクリックすることにより、トピック文だけを抜粋して表示することもできる。この場合、抽出率については、「トピックを強調表示」ボタン２００５がクリックされた場合と同様である。
【０１８２】
また、「抽出語句を強調」ボタン２００４をクリックすることにより、問い合わせに有効なものとして問い合わせ文から抽出された語句を強調表示させることができる。この場合、問い合わせ文から抽出された語句だけが他と違った色・書体で表示される。
【０１８３】
強調表示の書式を設定することができる。これによりどのような書体や色で表示するか自由に設定することができる。
【０１８４】
また、文書の構造を分析して情報関連をたどることができる。検索した文書の構造を分析して表示することができる。図２４に示すように、抽出した目次２４０１、要約２４０２、全文２４０３の３つに画面を分けて表示する。
【０１８５】
目次２４０１において、詳しく読みたいところを選択すると、右上の画面（要約）２４０２にその部分の要約が表示される。要約部分で、さらに詳しく読みたいところを選択すると、右下の画面（全文）２４０３にその部分の全文が表示される。
【０１８６】
つぎに、本実施の形態によるインターネット情報処理装置の操作の中心となる問い合わせ操作の方法について説明する。問い合わせ方法として、たとえば、以下のものが考えられる。
【０１８７】
（１）見出しや本文に特定の語句を持つ文書に絞り込む。
（２）キーとなる言葉を追加して問い合わせる。
（３）語句の重要度を変えて問い合わせる。
（４）ファイルに保存されている文書を条件として利用する。
（５）以前の問い合わせ条件や結果を読み出す。
以下、これらの方法の具体的内容について説明する。
【０１８８】
（（１）見出しや本文に特定の語句を持つ文書に絞り込む。）
これは、見出しや本文に必ず含めたい語句がある場合に設定する。したがって、検索する文書の条件が明確な場合にもちいることができる。
【０１８９】
まず、図２５に示すように、問い合わせ文を「問い合わせ条件」欄１９０１に入力する。その後、「絞込の条件の設定」ボタン２５０１をクリックすると、図２６に示す絞込条件の設定のダイアログボックス２６００が表示される。
【０１９０】
図２６のダイアログボックス２６００には、「本文」２６０１、「作成者」欄２６０２、「見出し」欄２６０３、「キーワード」欄２６０４、「更新日」欄２６０５があり、それぞれに絞込条件を設定することができる。図２６においては、「見出し」欄２６０３に「Ｊｎｅｔ」と入力していることを示す。その後「ＯＫ」ボタン２６０６をクリックすることにより、絞込設定が完了する。
【０１９１】
その後、「問い合わせ開始」ボタン１９０２をクリックすることにより問い合わせを実行する。
【０１９２】
（（２）キーとなる言葉を追加して問い合わせる。）
問い合わせ文から問い合わせに利用される語句が抽出される。この抽出された語句を編集することにより、より精度の高い問い合わせをおこなうことができる。
【０１９３】
言葉を追加する際、以下の言葉を追加することができる。
▲１▼自分で考えた言葉を追加する。
▲２▼関連語を追加する。
▲３▼類義語を追加する。
【０１９４】
▲１▼自分で考えた言葉を追加する。この場合、まず、問い合わせ条件を入力する。ここでは、「ワープロではがきを作成する。」という文章を入力する。その後、語句モードを表示させると、図２７に示すように、抽出語句リストに、問い合わせ条件に入力した文章から抽出された語句が表示される。
【０１９５】
その後、「新規追加」ボタン２７０１をクリックすることにより、図２８に示すように、抽出語句リストに表示された語句のつぎの行２８０１が語句を入力できる状態にその表示が変化する。
【０１９６】
その行２８０１に問い合わせ条件として追加する語句を入力する。図２９に示すように、ここでは「印刷」と入力する。入力後、Ｅｎｔｅｒキーを押下するか、入力欄の外をクリックすれば、抽出語句が確定する。その後、問い合わせを実行することにより問い合わせ処理は完了する。
【０１９７】
▲２▼関連語を追加する。関連語とは、問い合わせ先の情報ボックスの中で、問い合わせ条件の内容と類似した文書の中によく登場する語句のことである。そのため抽出される関連語は問い合わせ先の情報ボックスの内容によって異なる。
【０１９８】
また、関連度とは、関連語が問い合わせ文とどのくらい関連があるかを数値で表したものである。関連度の数値が高いものほど、問い合わせ条件の内容とより関連があるといえる。
【０１９９】
この場合も、▲１▼自分で考えた言葉を追加する際の操作と同様に、まず、問い合わせ条件を入力する。ここでも、図３０に示すように、「ワープロではがきを作成する。」という文章を入力する。その後、「関連語追加」ボタン３００１をクリックすると、図３１に示すような「関連語の追加」ダイアログボックス３１００が表示される。この際、問い合わせ条件と類似度が高い上位何位までの文書を利用するか、あるいは抽出する関連度の最小値を設定することもできる。
【０２００】
ダイアログボックス３１００に表示された関連語のうち、問い合わせ条件として追加する関連語をオンする。関連語は複数選択することができる。ここでは、例として、「郵便番号検索」３１０１を選択する。
【０２０１】
「ＯＫ」ボタン３１０２をクリックすることにより、図３２に示すように、選択した関連語が、問い合わせ条件に追加表示される。その後、問い合わせを実行することにより問い合わせ処理は完了する。
【０２０２】
▲３▼類義語を追加する。類義語とは、言い回しの異なる語句、言い換え語のことをいう。この場合も、▲１▼自分で考えた言葉を追加する際の操作と同様に、まず、問い合わせ条件を入力する。ここでも、図３３に示すように、「ワープロではがきを作成する。」という文章を入力する。その後、「語句へ」ボタン３３０１をクリックし、図３４に示す要に語句モードに切り替わる。
【０２０３】
その後、類義語を調べたい抽出語句を１つ選択する。ここでは、「はがき」３４０１を選択する。そして、「類義語追加」ボタン３４０２を選択すると、図３５に示す「類義語の追加」ダイアログボックス３５００が表示される。
【０２０４】
ダイアログボックス３５００において表示された類義語のうち、問い合わせ条件として追加する類義語をオンすることにより類義語を選択する。類義語は複数選択することができる。
【０２０５】
類義語（カード）を選択後、「ＯＫ」ボタン３５０１をクリックすると、図３６に示すように、選択した類義語（カード）が抽出語句リストに追加される。その後、問い合わせを実行することにより問い合わせ処理は完了する。
【０２０６】
（（３）語句の重要度を変えて問い合わせる。）
特定の語句に解くに注目して問い合わせをおこなう場合に、抽出語句に重みを設定することができる。
【０２０７】
まず、問い合わせ条件を入力する。ここでは、例として、「ワープロで住所録を作って、はがきの宛先を印刷する」と入力する。その後、語句モードに切り替えると、図３７に示すように、抽出語句リストに問い合わせ条件に入力された文章から抽出された語句が表示される。
【０２０８】
つぎに、重みを変更したい語句を１つ選択する。ここでは例として、「住所録」３７０１を選択する。そして、語句の右側にある重み「１」をクリックすると、図３８に示すように、編集できる状態（編集領域３８０１）になる。
【０２０９】
編集領域３８０１に、「−１０」〜「１０」までの数値を入力する。入力後、Ｅｎｔｅｒキーを押下するか、入力欄外をクリックすれば、重みが確定する。ここでは、重みを「５」に設定する。図３９には、「住所録」の重みが「５」に変更された状態が表示されている。
【０２１０】
つぎに、「問い合わせ開始」ボタン１９０２をクリックして、問い合わせを実行する。その結果、「ワープロで住所録を作って、はがきの宛先を印刷する」に関する文書の中でも、特に「住所録」に関連のある文書が上位に表示される。
【０２１１】
（（４）ファイルに保存されている文書を条件として利用する。）
ワープロソフト等、他のアプリケーションで作成した文書を問い合わせ条件として利用することができる。したがって、すでに作成してある文書に類似した文書を検索する場合に便利である。
【０２１２】
まず、図４０に示す「ファイル読込」ボタン４００１をクリックすることにより、図４１に示すような「ファイル読込」ダイアログボックス４１００が表示される。このダイアログボックス４１００において、ファイル４１０２を選択して、「ＯＫ」ボタン４１０３をクリックする。
【０２１３】
選択したファイル４１０２の内容が、「問い合わせ条件」欄４１０１に読み込まれ、表示される。「問い合わせ条件」欄４１０１に表示された文章は編集することが可能である。編集された内容で問い合わせがおこなわれる。なお、削除したり変更したりしても、元の文章に影響を与えない。その後、問い合わせを実行することにより問い合わせ処理は完了する。
【０２１４】
（（５）以前の問い合わせ条件や結果を読み出す。）
問い合わせをおこなったときの条件や結果を保存しておいて、あとからもう一度同一の条件で問い合わせをしたり、結果をもう一度見たりすることができる。保存した条件や結果がマイクリップである。ここでは、マイクリップの機能として以下の４つの機能が考えられる。
【０２１５】
▲１▼前に問い合わせたのと同一の条件で問い合わせる。
▲２▼条件や結果をマイクリップとして保存する。
▲３▼他の人の作ったマイクリップの条件を利用して問い合わせる。
▲４▼マイクリップを整理する。
【０２１６】
▲１▼前に問い合わせたのと同一の条件で問い合わせる。これは、更新された情報ボックスや別の情報ボックスに対して同一の問い合わせをおこなう場合にもちいる。まず、マイクリップを選択すると、図４３に示すように、保存済みのマイクリップが分類したフォルダごとに表示される。
【０２１７】
表示されるマイクリップのうち、条件を保存したマイクリップの右側には（条件）と表示される。図４３に表示されているもののうち、「お祭り」および「地ビールの最新情報」が条件を保存したマイクリップである。また、問い合わせ結果を保存したマイクリップの右側には（結果）と表示され、これを選択すると、そのマイクリップに保存されている問い合わせ条件と結果リストが表示される。
【０２１８】
つぎに、表示されたマイクリップの中から、利用したいマイクリップを選択する。問い合わせに利用する情報ボックスを変更する場合は、利用する情報ボックスを選択する。その後、問い合わせを実行することにより問い合わせ処理は完了する。
【０２１９】
▲２▼条件や結果をマイクリップとして保存する。問い合わせをおこない、その後、「マイクリップに登録・一覧」ボタン（図２０の２００８）をクリックし、表示されるメニューから登録を選択すると、図４４に示す登録ダイアログボックス４４００が表示される。
【０２２０】
ここで、まず、登録対象欄４４０１で、条件だけを保存するのかあるいは条件と結果の両方を保存するのかのいずれか一方を選択する。つぎに、名前欄４４０２にマイクリップに付ける名前を入力する。ダイアログボックスが表示された時点では、問い合わせ条件の文字列の先頭部分が入力されている。これを付けたい名前に変更することによりマイクリップの名前を登録し、「ＯＫ」ボタン４４０３をクリックする。
【０２２１】
また、最近作成・変更された文書のみを問い合わせの対象とするマイクリップを作ることができる。これは、問い合わせの対象を最近更新された文書に絞り込む条件を設定してからマイクリップを保存する。具体的には、以下の手順によりおこなう。
【０２２２】
まず、問い合わせ条件欄に問い合わせ文を入力する。つぎに、「絞込条件設定」ボタン２５０１をクリックし、図４５に示す「絞込条件の設定（簡易）」ダイアログボックス４５００を表示させる。その後、ダイアログボックス４５００の更新日４５０１をオンにする。
【０２２３】
さらに、更新日の指定方法で問い合わせ日を基準に指定４５０２をオンにする。更新日の期間４５０３で絞り込む範囲を選択し、その後、「ＯＫ」ボタン４５０４をクリックする。
【０２２４】
その後、「マイクリップに登録・一覧」ボタン（図２０の２００８）をクリックし、表示されるメニューから登録を選択すると、登録ダイアログボックスが表示される。ここで、条件を選択し、マイクリップの名前を入力し、「ＯＫ」ボタンをクリックする。これにより、最近作成・変更された文書だけを問い合わせた対象とするマイクリップを作成することができる。
【０２２５】
▲３▼他の人の作ったマイクリップの条件を利用して問い合わせる。他の人が問い合わせ条件を保存したマイクリップをコピーしたり、ネットワーク上に置けば、他の人と同一の条件で問い合わせをおこなうことができる。
【０２２６】
開くダイアログボックス４６００を表示させ、利用したいマイクリップを選択する。条件ファイルを開いた直後に問い合わせ開始４６０１をオフにし、「ＯＫ」ボタン４６０２をクリックする。その後、問い合わせ開始ボタンをクリックする。
【０２２７】
▲４▼マイクリップを整理する。マイクリップやマイクリップフォルダは移動・名前変更・削除をすることができる。また、マイクリップ保存フォルダの場所を変更することもできる。
【０２２８】
マイクリップやマイクリップフォルダを移動するには、まず、移動したいマイクリップまたはマイクリップフォルダを選択する。つぎに、メニューをクリックして表示されるメニューから「移動」を選択する。これにより、図示を省略する移動ダイアログボックスが表示される。
【０２２９】
移動先を指定して「ＯＫ」ボタンをクリックすると、マイクリップまたはマイクリップフォルダが移動する。また、マイクリップ一覧上でドラッグアンドドロップすることにより移動することもできる。
【０２３０】
マイクリップやフォルダの名前を変更するには、まず、名前を変更したいマイクリップまたはマイクリップフォルダを選択する。メニューをクリックして表示されるメニューから「名前の変更」を選択するか、「Ｆ２」キーを押下する。
【０２３１】
名前が反転表示され、変更できる状態になる。ここで、新しい名前を入力して、Ｅｎｔｅｒキーを押下することにより、名前が変更される。
【０２３２】
マイクリップやマイクリップフォルダを削除するには、まず、削除したいマイクリップまたはマイクリップフォルダを選択し、Ｄｅｌｅｔｅキーを押下することにより、削除される。
【０２３３】
マイクリップ保存フォルダの位置を変更するには、まず、メニューをクリックして表示されるメニューから「マイクリップの場所」を選択する。それにより、図示を省略する「マイクリップの場所」ダイアログボックスが表示される。
【０２３４】
つぎに、マイクリップを保存したいフォルダを一覧上で選択すると、選択したフォルダの名前がフォルダ名に入力され、「ＯＫ」ボタンをクリックすることにより、マイクリップフォルダの位置が変更される。
【０２３５】
つぎに、本実施の形態によるインターネット情報処理装置の情報ボックスの作成・変更をおこなう情報ボックスマネージャについて説明する。情報ボックスマネージャには、情報ボックスを作成する、情報ボックスに取り込むアイテムを追加・削除する、アイテムの変更内容を情報ボックスに反映する、情報ボックスを削除する、等の機能を有する。
【０２３６】
図４７は、情報ボックスマネージャの基本画面であり、図４８は、情報源一覧を表示した画面である。情報ボックスマネージャには、これらの２種類の画面がある。
【０２３７】
図４７において、基本画面には、アプリケーションアイコン４７０１と、タイトルバー４７０２と、メニューバー４７０３と、ツールボックス４７０４と、情報ボックス一覧４７０５と、情報ボックス作成元一覧と、「詳細」ボタン４７０７と、状態表示バー４７０８とが表示される。
【０２３８】
アプリケーションアイコン４７０１は、クリックするとメニューが表示され。アプリケーションウインドウ（情報ボックスマネージャの全体画面）のサイズ変更や移動等の操作をおこなうことができる。
【０２３９】
タイトルバー４７０２は、アプリケーション名（情報ボックスマネージャ）と、情報ボックス更新スケジューラの状態が表示される。メニューバー４７０３は、ドロップダウンメニューの第１階層のメニューが表示される。
【０２４０】
ツールボックス４７０４は、コマンドの機能がアイコンに用意されている。クリックするとそれぞれの機能が実行される。情報ボックス一覧４７０５は、情報ボックスマネージャに登録されている情報ボックスがアイコンで表示される。情報ボックスの状態によって、アイコンの表示が異なる。
【０２４１】
情報ボックス作成元一覧は、情報ボックス一覧で選択している情報ボックスに取り込むアイテムが表示される。ここに表示されているアイテムをもとに、情報ボックスが作成・更新・再作成される。
【０２４２】
「詳細」ボタン４７０７は、クリックすると、図示を省略する情報ボックス一覧で選択されている情報ボックスのプロパティダイアログボックスが表示される。ここでは、選択している情報ボックスの作成日時や更新日時などを確認したり、情報ボックス名や言語を変更することもできる。
【０２４３】
状態表示バー４７０８は、情報ボックス一覧で選択している情報ボックスの状態と、作成日時／最終再作成日時／最終更新日時を表示する。
【０２４４】
情報ボックスを初めて起動したときには、図４７に示した基本画面が表示される。ツールボックス４７０４の「情報源一覧」アイコン４７０９をクリックすると、図４８に示した情報源一覧が表示される。情報ボックスに情報源からアイテムを追加する操作は、情報源一覧を表示した画面でおこなう。
【０２４５】
図４８において、情報源一覧を表示する画面には、情報源一覧４８０１と、「追加」ボタン４８０２と、「削除」ボタン４８０３とが表示される。
【０２４６】
情報源一覧４８０１には、情報ボックスに取り込めるアイテムが情報源ごとに表示される。ここから、情報ボックスに取り込みたいアイテムを選択する。各情報源は、タブをクリックすると、インデックスシートを切り替えることができる。
【０２４７】
インデックスシートには、ＷＷＷシート、メールシート、ファイルシート、通信ログシート等がある。ＷＷＷシートには、ブラウザのブックマークのツリー構成・履歴・キャッシュの情報と、リンク集のフォルダ構成が表示される。
【０２４８】
メールシートには、メールソフトのフォルダのツリー構成が表示される。ファイルシートには、使用しているパソコンのファイルシステムのフォルダ構成が表示される。通信ロゴシートには、パソコン通信等のログが保存されているフォルダの情報が表示される。
【０２４９】
「追加」ボタン４８０２は、クリックすると、情報源一覧４８０１で選択されているアイテムが情報ボックスに取り込むアイテムとして追加される。また、「削除」ボタン４８０３は、クリックすると、情報ボックス作成元一覧で選択しているアイテムが削除される。
【０２５０】
つぎに、情報ボックスマネージャの各機能について説明する。
（情報ボックスに取り込むアイテムを追加する）
アイテムの追加は、情報源一覧が表示されている画面でおこなう。まず、情報ボックスマネージャを起動し、図４９に示すように、情報ボックス一覧４９０１でアイテムを追加する情報ボックスを選択する。
【０２５１】
つぎに、情報源一覧４９０２で、追加するアイテムの情報源のインデックスシートをクリックする。その後、追加するアイテム４９０３を選択して、「追加」ボタン４９０４をクリックする。
【０２５２】
つぎに、サブフォルダを作成対象にするか否かを選択する。図示を省略する「「○○のサブフォルダも情報ボックスの作成対象としますか？」というメッセージが表示され、サブフォルダを作成対象とする場合は「はい」を、対象にしない場合は「いいえ」をクリックする。
【０２５３】
これにより、情報ボックス作成元一覧４９０５にアイテム４９０３が追加される。変更した内容を情報ボックスに反映するには、更新または再作成をおこなう。
【０２５４】
（情報ボックスから削除する削除するアイテムを指定する）
まず、図５０に示すように、情報ボックス一覧５００１で、アイテムを削除したい情報ボックスを選択する。つぎに、情報ボックス作成元一覧５００２で、削除するアイテム５００３を選択し、「削除」ボタン５００４をクリックする。
【０２５５】
これにより、選択したアイテム５００３が、情報ボックス作成元一覧５００２から削除される。変更した内容を情報ボックスに反映するには、更新または再作成をおこなう。
【０２５６】
（情報ボックスを更新する）
情報ボックスを更新することにより、変更された内容のみ情報ボックスに反映する。まず、情報ボックスマネージャを起動し、図５１に示すように、更新する情報ボックス５１０１を情報ボックス一覧５１０２から選択する。
【０２５７】
つぎに、「いますぐ更新する」アイコン５１０３をクリックする。これにより、情報ボックスの更新が開始される。更新された情報ボックスは、状態表示バー５１０４に「更新済」と表示される。
【０２５８】
ブラウザのブックマークや履歴、リンク集のサイトを作成元としている場合、更新をおこなうときに、そのＵＲＬを自動巡回して、ダウンロードした最新の情報を情報ボックスに反映する。
【０２５９】
（情報ボックスを再作成する）
情報ボックスの更新を何度も繰り返してゆくと、ファイル容量が増加し、問い合わせ処理速度が低下する。このような場合に、情報ボックスの再作成をすることができる。
【０２６０】
まず、情報ボックスマネージャを起動する。つぎに、作成する情報ボックスを、情報ボックス一覧から選択する。つぎに、メニューバーの［スケジュール−今すぐ再作成する］を選択する。これにより、情報ボックスの再作成が開始され、再作成された情報ボックスは、状態表示バーに「再作成済」と表示される。
【０２６１】
ブラウザのブックマークや履歴、リンク集のサイトを作成元としている場合、再作成をおこなうときに、そのＵＲＬを自動巡回して、ダウンロードした最新の情報を情報ボックスに反映する。
【０２６２】
（情報ボックスを削除する）
情報ボックスを削除するには、まず、情報ボックスマネージャを起動し、削除する情報ボックスを、情報ボックス一覧から選択する。つぎに、メニューバーの［情報ボックス−情報ボックスの削除］を選択する。図示を省略する削除を確認するメッセージが表示されたら、「はい」を選択し、これにより、情報ボックスの削除がおこなわれる。
【０２６３】
（文書ファイルを情報ボックスに取り込む）
情報ボックスでは、ワープロファイルや表計算はいるだけでなく、ＨＴＭＬはいるやＰＤＦ（Ｐｏｒｔａｂｌｅ  Ｄｏｃｕｍｅｎｔ  Ｆｏｒｍａｔ）ファイル等、インターネットでよく利用される文書に対応する。したがって、ファイル形式を意識することなく、さまざまな文書を情報ボックスに取り込み、問い合わせの対象とすることができる。
【０２６４】
文書ファイルを情報ボックスに取り込むには、図５２に示すように、情報源一覧のファイルシート５２０１で、取り込むフォルダを選択する。その後、「追加」ボタン５２０２をクリックする。
【０２６５】
つぎに、サブフォルダを作成対象にするか否かを選択する。図示を省略する「「○○のサブフォルダも情報ボックスの作成対象としますか？」というメッセージが表示され、サブフォルダを作成対象とする場合は「はい」を、対象にしない場合は「いいえ」をクリックする。これにより、情報ボックス作成元一覧５２０３にフォルダが追加される。
【０２６６】
（送受信したメールを情報ボックスに取り込む）
情報ボックスでは、メールソフト（メーラー）で送信・受信したメールも情報ボックスに取り込み、問い合わせの対象とすることができる。
【０２６７】
メールを情報ボックスに取り込むには、図５３に示すように、情報源一覧のメールシート５３０１で、取り込むフォルダを選択する。その後、「追加」ボタン５２０２をクリックする。
【０２６８】
つぎに、サブフォルダを作成対象にするか否かを選択する。図示を省略する「「○○のサブフォルダも情報ボックスの作成対象としますか？」というメッセージが表示され、サブフォルダを作成対象とする場合は「はい」を、対象にしない場合は「いいえ」をクリックする。これにより、情報ボックス作成元一覧５３０３にフォルダが追加される。
【０２６９】
また、ニュース配信サービスのメールを取り込むこともできる。メールフォルダ中にニュース配信サービスのメールが含まれている場合は、ニュースメールカッターを利用することができる。
【０２７０】
ニュースメールカッターを利用すると、複数の記事が入っているメールを１件ずつの記事に分割して情報ボックスに取り込むことができる。これにより、問い合わせをしたときに、必要な記事だけが結果として表示されることになる。
【０２７１】
そのため、複数の種類のニュース配信サービスを購読している場合は、使用しているメールソフトでニュース配信サービスの種類ごとにフォルダを分けておくとよい。
【０２７２】
つぎに、ニュースメールカッターの指定の手順について説明する。まず、情報ボックス作成元一覧で、取り込んだメールフォルダを選択する。つぎに、メニューバーの［編集−収集方法の変更］を選択し、図５４に示すダイアログボックス５４００を表示させ、ニュースメールカッターを利用する５４０１をオンにし、カッター名５４０２の右端の下矢印ボタンをクリックしして、取り込むニュース配信サービスのメールに対応するカッター名を選択する。その後、「ＯＫ」ボタン５４０３をクリックする。
【０２７３】
（パソコン通信のログを情報ボックスに取り込む）
パソコン通信の電子化会議室の発言内容やメールの中から、目的の情報を検索することができる。
【０２７４】
パソコン通信のログを情報ボックスに取り込むには、まず、ログファイルが保存されているフォルダの情報を、あらかじめ登録しておく。つぎに、図５５に示すように、メニューバーの［ツール−通信ログの情報取得の設定］を選択する。それにより、図示を省略する通信ログの情報取得の設定ダイアログボックスが表示され、「登録」ボタンをクリックする。
【０２７５】
それにより、図示を省略する通信ログのフォルダ情報の登録ダイアログボックスが表示される。ここで、各項目を設定し、「ＯＫ」ボタンをクリックする。各項目には、「見出し」、「フォルダ」、「拡張子」、「カッター名」がある。
【０２７６】
「見出し」項目においては、登録するフォルダ情報に見出しを付ける。「フォルダ」項目においては、通信ログが保存されているフォルダを指定する。「拡張子」項目においては、ログファイルの拡張子を入力する。省略した場合は拡張子なしとみなす。「カッター名」項目においては、カッター名を選択する。
【０２７７】
設定が完了すると、図５５に示すように、情報源一覧の通信ログシート５５０１に登録したフォルダ情報が表示される。通信ログは専用のログカッターを利用して１件ずつの発言やメールに分割して、情報ボックスに取り込む。具体的には、情報源一覧の通信ログシート５５０１で取り込む通信ログを選択し、「追加」ボタンをクリックすることによりおこなわれる。
【０２７８】
以上説明したように、本実施の形態によれば、収集部２０２により収集されたインターネット情報および加工部２０３により加工されたインターネット情報に基づいて、データベースを構築するので、ＵＲＬ情報に基づいた検索用のデータベースができ、これにより、膨大なインターネット情報を効率よく収集・活用することでインターネットの利用価値を向上させることができる。
【０２７９】
なお、本実施の形態で説明したインターネット情報処理方法は、あらかじめ用意されたプログラムをパーソナルコンピュータやワークステーション等のコンピュータで実行することにより実現される。このプログラムは、ハードディスク、フロッピーディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、上記記録媒体を介して、ネットワークを介して配布することができる。
【０２８０】
【発明の効果】
以上説明したように、この発明によれば、入力手段が、ＵＲＬ（Ｕｎｉｆｏｒｍ  Ｒｅｓｏｕｒｃｅ  Ｌｏｃａｔｏｒ）に関する情報を入力し、収集手段が、前記入力手段により入力されたＵＲＬに関する情報に基づいてインターネット情報を収集し、加工手段が、前記収集手段により収集されたインターネット情報を検索用に加工し、前記収集手段により収集されたインターネット情報および前記加工手段により検索用に加工されたインターネット情報に基づいて、データベースを構築するので、ＵＲＬ情報に基づいた検索用のデータベースができ、これにより、膨大なインターネット情報を効率よく収集・活用することでインターネットの利用価値を向上させることが可能なインターネット情報処理装置が得られるという効果を奏する。
【０２８１】
また、この発明によれば、上記の発明において、抽出手段が、前記収集手段により収集されたインターネット情報の中から検索の対象となる語句を抽出するので、たとえば、語句どうしの統計データにより類似度計算する類似検索等、語句に基づく検索用のデータベースができ、これにより、膨大なインターネット情報を効率よく収集・活用することでインターネットの利用価値を向上させることが可能なインターネット情報処理装置が得られるという効果を奏する。
【０２８２】
また、この発明によれば、上記の発明において、表示手段が、前記データベースごとに前記入力手段により入力されたＵＲＬに関する情報を表示するので、データベースのＵＲＬ情報の内容を確認でき、データベース内のインターネット情報の内容を容易に推測することができ、これにより、膨大なインターネット情報を効率よく収集・活用することでインターネットの利用価値を向上させることが可能なインターネット情報処理装置が得られるという効果を奏する。
【０２８３】
また、この発明によれば、上記の発明において、編集手段が、前記表示手段により表示されたＵＲＬに関する情報の追加・変更・削除等の編集をするので、ＵＲＬに関する情報を容易に更新することができ、それにともなってデータベースの内容も更新することができ、これにより、膨大なインターネット情報を効率よく収集・活用することでインターネットの利用価値を向上させることが可能なインターネット情報処理装置が得られるという効果を奏する。
【０２８４】
また、この発明によれば、上記の発明において、スケジュール情報入力手段が、前記収集手段が収集をおこなうスケジュールに関する情報を入力し、前記収集手段が、前記スケジュール情報入力手段により入力されたスケジュールに関する情報に基づいてインターネット情報を収集するので、インターネット情報の経時的変化に対応したデータベースを構築することができ、これにより、膨大なインターネット情報を効率よく収集・活用することでインターネットの利用価値を向上させることが可能なインターネット情報処理装置が得られるという効果を奏する。
【０２８５】
また、この発明によれば、上記の発明において、監視手段が、前記入力手段により入力されたＵＲＬに関する情報のうち、ＷＷＷ（Ｗｏｒｌｄ  Ｗｉｄｅ  Ｗｅｂ）ブラウザの履歴情報、ブックマーク情報等、ＵＲＬに関する情報が変更され得るＵＲＬ可変情報を監視し、前記収集手段が、前記監視手段により監視されたＵＲＬ可変情報が変更された場合に、前記変更された内容に基づいてインターネット情報を収集するので、変更されるＵＲＬに関する情報に基づく情報が収集され、操作者の意向に合致したインターネット情報によるデータベースを構築することができ、これにより、膨大なインターネット情報を効率よく収集・活用することでインターネットの利用価値を向上させることが可能なインターネット情報処理装置が得られるという効果を奏する。
【０２８６】
また、この発明によれば、入力工程が、ＵＲＬ（Ｕｎｉｆｏｒｍ  Ｒｅｓｏｕｒｃｅ  Ｌｏｃａｔｏｒ）に関する情報を入力し、収集工程が、前記入力工程により入力されたＵＲＬに関する情報に基づいてインターネット情報を収集し、加工工程が、前記収集工程により収集されたインターネット情報を検索用に加工し、データベース構築工程が、前記収集工程により収集されたインターネット情報および前記加工工程により検索用に加工されたインターネット情報に基づいて、データベースを構築するので、ＵＲＬ情報に基づいた検索用のデータベースができ、これにより、膨大なインターネット情報を効率よく収集・活用することでインターネットの利用価値を向上させることが可能なインターネット情報処理方法が得られるという効果を奏する。
【０２８７】
また、この発明によれば、上記の発明において、語句抽出工程が、前記収集工程により収集されたインターネット情報の中から検索の対象となる語句を抽出するので、たとえば、語句どうしの統計データにより類似度計算する類似検索等、語句に基づく検索用のデータベースができ、これにより、膨大なインターネット情報を効率よく収集・活用することでインターネットの利用価値を向上させることが可能なインターネット情報処理方法が得られるという効果を奏する。
【０２８８】
また、この発明によれば、上記の発明において、表示工程が、前記データベースごとに前記入力工程により入力されたＵＲＬに関する情報を表示するので、データベースのＵＲＬ情報の内容を確認でき、データベース内のインターネット情報の内容を容易に推測することができ、これにより、膨大なインターネット情報を効率よく収集・活用することでインターネットの利用価値を向上させることが可能なインターネット情報処理方法が得られるという効果を奏する。
【０２８９】
また、この発明によれば、上記の発明において、編集工程が、前記表示工程により表示されたＵＲＬに関する情報の追加・変更・削除等の編集をするので、ＵＲＬに関する情報を容易に更新することができ、それにともなってデータベースの内容も更新することができ、これにより、膨大なインターネット情報を効率よく収集・活用することでインターネットの利用価値を向上させることが可能なインターネット情報処理方法が得られるという効果を奏する。
【０２９０】
また、この発明によれば、上記の発明において、スケジュール情報入力工程が、前記収集工程が収集をおこなうスケジュールに関する情報を入力し、前記収集工程が、前記スケジュール情報入力工程により入力されたスケジュールに関する情報に基づいてインターネット情報を収集するので、インターネット情報の経時的変化に対応したデータベースを構築することができ、これにより、膨大なインターネット情報を効率よく収集・活用することでインターネットの利用価値を向上させることが可能なインターネット情報処理方法が得られるという効果を奏する。
【０２９１】
また、この発明によれば、上記の発明において、監視工程が、前記入力工程により入力されたＵＲＬに関する情報のうち、ＷＷＷ（Ｗｏｒｌｄ  Ｗｉｄｅ  Ｗｅｂ）ブラウザの履歴情報、ブックマーク情報等、ＵＲＬに関する情報が変更され得るＵＲＬ可変情報を監視し、前記収集工程が、前記監視工程により監視されたＵＲＬ可変情報が変更された場合に、前記変更された内容に基づいてインターネット情報を収集するので、変更されるＵＲＬに関する情報に基づく情報が収集され、操作者の意向に合致したインターネット情報によるデータベースを構築することができ、これにより、膨大なインターネット情報を効率よく収集・活用することでインターネットの利用価値を向上させることが可能なインターネット情報処理方法が得られるという効果を奏する。
【０２９２】
また、この発明によれば、上記の方法をコンピュータに実行させるプログラムを記録したことで、そのプログラムを機械読み取り可能となり、これによって、上記の動作をコンピュータによって実現することが可能な記録媒体が得られるという効果を奏する。
【図面の簡単な説明】
【図１】この発明の本実施の形態によるインターネット情報処理装置を含む情報処理装置のハードウエア構成を示すブロック図である。
【図２】本実施の形態によるインターネット情報処理装置の構成を機能的に示すブロック図である。
【図３】本実施の形態によるインターネット情報処理装置の適用範囲の組み合わせを示す説明図である。
【図４】本実施の形態によるインターネット情報処理装置の活用の事例を示す説明図である。
【図５】本実施の形態によるインターネット情報処理装置の表示部により表示される表示画面の一例である。
【図６】本実施の形態によるインターネット情報処理装置の表示部により表示される表示画面の別の一例である。
【図７】本実施の形態によるインターネット情報処理装置の表示部により表示される表示画面の別の一例である。
【図８】本実施の形態によるインターネット情報処理装置の表示部により表示される表示画面の別の一例である。
【図９】本実施の形態によるインターネット情報処理装置の表示部により表示される表示画面の別の一例である。
【図１０】本実施の形態によるインターネット情報処理装置の表示部により表示される表示画面の別の一例である。
【図１１】本実施の形態によるインターネット情報処理装置の表示部により表示される表示画面の別の一例である。
【図１２】本実施の形態によるインターネット情報処理装置の表示部により表示される表示画面の別の一例である。
【図１３】本実施の形態によるインターネット情報処理装置の表示部により表示される表示画面の別の一例である。
【図１４】本実施の形態によるインターネット情報処理装置の表示部により表示される表示画面の別の一例である。
【図１５】本実施の形態によるインターネット情報処理装置の表示部により表示される表示画面の別の一例である。
【図１６】本実施の形態によるインターネット情報処理装置の表示部により表示される表示画面の別の一例である。
【図１７】本実施の形態によるインターネット情報処理装置の表示部により表示される表示画面の別の一例である。
【図１８】本実施の形態によるインターネット情報処理装置の表示部により表示される表示画面の別の一例である。
【図１９】本実施の形態によるインターネット情報処理装置の表示部により表示される表示画面の別の一例である。
【図２０】本実施の形態によるインターネット情報処理装置の表示部により表示される表示画面の別の一例である。
【図２１】本実施の形態によるインターネット情報処理装置の表示部により表示される表示画面の別の一例である。
【図２２】本実施の形態によるインターネット情報処理装置の表示部により表示される表示画面の別の一例である。
【図２３】本実施の形態によるインターネット情報処理装置の表示部により表示される表示画面の別の一例である。
【図２４】本実施の形態によるインターネット情報処理装置の表示部により表示される表示画面の別の一例である。
【図２５】本実施の形態によるインターネット情報処理装置の表示部により表示される表示画面の別の一例である。
【図２６】本実施の形態によるインターネット情報処理装置の表示部により表示される表示画面の別の一例である。
【図２７】本実施の形態によるインターネット情報処理装置の表示部により表示される表示画面の別の一例である。
【図２８】本実施の形態によるインターネット情報処理装置の表示部により表示される表示画面の別の一例である。
【図２９】本実施の形態によるインターネット情報処理装置の表示部により表示される表示画面の別の一例である。
【図３０】本実施の形態によるインターネット情報処理装置の表示部により表示される表示画面の別の一例である。
【図３１】本実施の形態によるインターネット情報処理装置の表示部により表示される表示画面の別の一例である。
【図３２】本実施の形態によるインターネット情報処理装置の表示部により表示される表示画面の別の一例である。
【図３３】本実施の形態によるインターネット情報処理装置の表示部により表示される表示画面の別の一例である。
【図３４】本実施の形態によるインターネット情報処理装置の表示部により表示される表示画面の別の一例である。
【図３５】本実施の形態によるインターネット情報処理装置の表示部により表示される表示画面の別の一例である。
【図３６】本実施の形態によるインターネット情報処理装置の表示部により表示される表示画面の別の一例である。
【図３７】本実施の形態によるインターネット情報処理装置の表示部により表示される表示画面の別の一例である。
【図３８】本実施の形態によるインターネット情報処理装置の表示部により表示される表示画面の別の一例である。
【図３９】本実施の形態によるインターネット情報処理装置の表示部により表示される表示画面の別の一例である。
【図４０】本実施の形態によるインターネット情報処理装置の表示部により表示される表示画面の別の一例である。
【図４１】本実施の形態によるインターネット情報処理装置の表示部により表示される表示画面の別の一例である。
【図４２】本実施の形態によるインターネット情報処理装置の表示部により表示される表示画面の別の一例である。
【図４３】本実施の形態によるインターネット情報処理装置の表示部により表示される表示画面の別の一例である。
【図４４】本実施の形態によるインターネット情報処理装置の表示部により表示される表示画面の別の一例である。
【図４５】本実施の形態によるインターネット情報処理装置の表示部により表示される表示画面の別の一例である。
【図４６】本実施の形態によるインターネット情報処理装置の表示部により表示される表示画面の別の一例である。
【図４７】本実施の形態によるインターネット情報処理装置の表示部により表示される表示画面の別の一例である。
【図４８】本実施の形態によるインターネット情報処理装置の表示部により表示される表示画面の別の一例である。
【図４９】本実施の形態によるインターネット情報処理装置の表示部により表示される表示画面の別の一例である。
【図５０】本実施の形態によるインターネット情報処理装置の表示部により表示される表示画面の別の一例である。
【図５１】本実施の形態によるインターネット情報処理装置の表示部により表示される表示画面の別の一例である。
【図５２】本実施の形態によるインターネット情報処理装置の表示部により表示される表示画面の別の一例である。
【図５３】本実施の形態によるインターネット情報処理装置の表示部により表示される表示画面の別の一例である。
【図５４】本実施の形態によるインターネット情報処理装置の表示部により表示される表示画面の別の一例である。
【図５５】本実施の形態によるインターネット情報処理装置の表示部により表示される表示画面の別の一例である。
【符号の説明】
１００  バス
１０１  ＣＰＵ
１０２  ＲＯＭ
１０３  ＲＡＭ
１０４  ＨＤＤ
１０５  ＨＤ
１０６  ＦＤＤ
１０７  ＦＤ
１０８  ディスプレイ
１０９  Ｉ／Ｆ
１１０  通信回線
１１１  キーボード
１１２  マウス
１１３  スキャナ
１１４  プリンタ
１１５  ＣＤＲＯＭ
１１６  ＣＤＲＯＭドライブ
２００  データベース
２０１  入力部
２０２  収集部
２０３  加工部
２０４  語句抽出部
２０５  表示部
２０６  編集部
２０７  スケジュール情報入力部
２０８  監視部
【図１】
0004469432.tif 000002
【図２】
0004469432.tif 000003
【図３】
0004469432.tif 000004
【図４】
0004469432.tif 000005
【図５】
0004469432.tif 000006
【図６】
0004469432.tif 000007
【図７】
0004469432.tif 000008
【図８】
0004469432.tif 000009
【図９】
0004469432.tif 000010
【図１０】
0004469432.tif 000011
【図１１】
0004469432.tif 000012
【図１２】
0004469432.tif 000013
【図１３】
0004469432.tif 000014
【図１４】
0004469432.tif 000015
【図１５】
0004469432.tif 000016
【図１６】
0004469432.tif 000017
【図１７】
0004469432.tif 000018
【図１８】
0004469432.tif 000019
【図１９】
0004469432.tif 000020
【図２０】
0004469432.tif 000021
【図２１】
0004469432.tif 000022
【図２２】
0004469432.tif 000023
【図２３】
0004469432.tif 000024
【図２４】
0004469432.tif 000025
【図２５】
0004469432.tif 000026
【図２６】
0004469432.tif 000027
【図２７】
0004469432.tif 000028
【図２８】
0004469432.tif 000029
【図２９】
0004469432.tif 000030
【図３０】
0004469432.tif 000031
【図３１】
0004469432.tif 000032
【図３２】
0004469432.tif 000033
【図３３】
0004469432.tif 000034
【図３４】
0004469432.tif 000035
【図３５】
0004469432.tif 000036
【図３６】
0004469432.tif 000037
【図３７】
0004469432.tif 000038
【図３８】
0004469432.tif 000039
【図３９】
0004469432.tif 000040
【図４０】
0004469432.tif 000041
【図４１】
0004469432.tif 000042
【図４２】
0004469432.tif 000043
【図４３】
0004469432.tif 000044
【図４４】
0004469432.tif 000045
【図４５】
0004469432.tif 000046
【図４６】
0004469432.tif 000047
【図４７】
0004469432.tif 000048
【図４８】
0004469432.tif 000049
【図４９】
0004469432.tif 000050
【図５０】
0004469432.tif 000051
【図５１】
0004469432.tif 000052
【図５２】
0004469432.tif 000053
【図５３】
0004469432.tif 000054
【図５４】
0004469432.tif 000055
【図５５】
0004469432.tif 000056